(57)【要約】【課題】効率的に上りリンクおよび／または下りリンク通信を行うことができる端末装置を提供する。【解決手段】トランスポートブロックに含まれる第１のコードブロックグループを復号化し、前記第１のコードブロックグループは、１または複数のコードブロックを含み、前記１または複数のコードブロックに含まれる系列は、リダンダンシーバージョンに少なくとも基づき与えられ、下りリンク制御情報において、前記第１のコードブロックグループに対応する第１のソフトビットをフラッシュすることが指示された場合、前記１または複数のコードブロックのリダンダンシーバージョンは所定の値に設定され、前記下りリンク制御情報において、前記第１のソフトビットをフラッシュすることが指示されない場合、前記１または複数のコードブロックの前記リダンダンシーバージョンは前記下りリンク制御情報により指示される。【選択図】図１３
2019004245.tif 000002
【特許請求の範囲】
【請求項１】
下りリンク制御情報によりスケジューリングされるＰＤＳＣＨにおいてトランスポートブロックを受信する受信部と、
前記トランスポートブロックに含まれる第１のコードブロックグループを復号化する復号化部と、を備え、
前記第１のコードブロックグループは、１または複数のコードブロックを含み、
前記１または複数のコードブロックに含まれる系列は、リダンダンシーバージョンに少なくとも基づき与えられ、
前記下りリンク制御情報において、前記第１のコードブロックグループに対応する第１のソフトビットをフラッシュすることが指示された場合、前記１または複数のコードブロックのリダンダンシーバージョンは所定の値に設定され、
前記下りリンク制御情報において、前記第１のソフトビットをフラッシュすることが指示されない場合、前記１または複数のコードブロックの前記リダンダンシーバージョンは前記下りリンク制御情報により指示される端末装置。
【請求項２】
前記下りリンク制御情報において、前記トランスポートブロックに対応する第２のソフトビットをフラッシュすることが指示された場合、前記１または複数のコードブロックの前記リダンダンシーバージョンは前記下りリンク制御情報により指示される請求項１に記載の端末装置。
【請求項３】
トランスポートブロックのためのＰＤＳＣＨを下りリンク制御情報でスケジューリングする送信部と、
前記トランスポートブロックに含まれる第１のコードブロックグループを設定し、符号化する符号化部と、を備え、
前記第１のコードブロックグループは、１または複数のコードブロックを含み、
前記１または複数のコードブロックに含まれる系列は、リダンダンシーバージョンに少なくとも基づき与えられ、
前記下りリンク制御情報において、前記第１のコードブロックグループに対応する第１のソフトビットをフラッシュすることが指示された場合、前記１または複数のコードブロックのリダンダンシーバージョンは所定の値に設定され、
前記下りリンク制御情報において、前記第１のソフトビットをフラッシュすることが指示されない場合、前記１または複数のコードブロックの前記リダンダンシーバージョンは前記下りリンク制御情報により指示される基地局装置。
【請求項４】
前記下りリンク制御情報において、前記トランスポートブロックに対応する第２のソフトビットをフラッシュすることが指示された場合、前記１または複数のコードブロックの前記リダンダンシーバージョンは前記下りリンク制御情報により指示される請求項３に記載の基地局装置。
【請求項５】
端末装置の通信方法であって、
下りリンク制御情報によりスケジューリングされるＰＤＳＣＨにおいてトランスポートブロックを受信するステップと、
前記トランスポートブロックに含まれる第１のコードブロックグループを復号化するステップと、を備え、
前記第１のコードブロックグループは、１または複数のコードブロックを含み、
前記１または複数のコードブロックに含まれる系列は、リダンダンシーバージョンに少なくとも基づき与えられ、
前記下りリンク制御情報において、前記第１のコードブロックグループに対応する第１のソフトビットをフラッシュすることが指示された場合、前記１または複数のコードブロ
ックのリダンダンシーバージョンは所定の値に設定され、
前記下りリンク制御情報において、前記第１のソフトビットをフラッシュすることが指示されない場合、前記１または複数のコードブロックの前記リダンダンシーバージョンは前記下りリンク制御情報により指示される通信方法。
【請求項６】
基地局装置の通信方法であって、
トランスポートブロックのためのＰＤＳＣＨを下りリンク制御情報でスケジューリングするステップと、
前記トランスポートブロックに含まれる第１のコードブロックグループを設定し、符号化するステップと、を備え、
前記第１のコードブロックグループは、１または複数のコードブロックを含み、
前記１または複数のコードブロックに含まれる系列は、リダンダンシーバージョンに少なくとも基づき与えられ、
前記下りリンク制御情報において、前記第１のコードブロックグループに対応する第１のソフトビットをフラッシュすることが指示された場合、前記１または複数のコードブロックのリダンダンシーバージョンは所定の値に設定され、
前記下りリンク制御情報において、前記第１のソフトビットをフラッシュすることが指示されない場合、前記１または複数のコードブロックの前記リダンダンシーバージョンは前記下りリンク制御情報により指示される通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA
」と称する。）が、第三世代パートナーシッププロジェクト（3rd Generation Partnership Project: 3GPP）において検討されている。ＬＴＥにおいて、基地局装置はｅＮｏｄｅＢ（evolved NodeB）、端末装置はＵＥ（User Equipment）とも呼称される。ＬＴＥは、
基地局装置がカバーするエリアをセル状に複数配置するセルラー通信システムである。単一の基地局装置は複数のセルを管理してもよい。
【０００３】
３ＧＰＰでは、国際電気通信連合（ITU: International Telecommunication Union）が策定する次世代移動通信システムの規格であるＩＭＴ（International Mobile Telecommunication）―２０２０に提案するため、次世代規格（NR: New Radio）の検討が行われて
いる（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra Reliable and Low Latency Communication）の３つのシナリオを想定した要求を満た
すことが求められている。
【０００４】
上記の要求を満たすため、ＮＲに採用される誤り訂正符号の検討が行われている（非特許文献２）。
【先行技術文献】
【非特許文献】
【０００５】
【非特許文献１】"New SID proposal: Study on New Radio Access Technology", RP-160671, NTT docomo, 3GPP TSG RAN Meeting #71, Goteborg, Sweden, 7th - 10th March, 2016.
【非特許文献２】"3GPP TR 38.802 V0.0.3 (2016-03) ", R1-165889, 9th June, 2016.
【発明の概要】
【発明が解決しようとする課題】
【０００６】
本発明は、効率的に上りリンクおよび／または下りリンク通信を行うことができる端末装置、該端末装置に用いられる通信方法、該端末装置に実装される集積回路、効率的に上りリンクおよび／または下りリンク通信を行うことができる基地局装置、該基地局装置に用いられる通信方法、該基地局装置に実装される集積回路を提供する。
【課題を解決するための手段】
【０００７】
（１）本発明の態様は、以下のような手段を講じた。すなわち、本発明の第１の態様は、端末装置であって、下りリンク制御情報によりスケジューリングされるＰＤＳＣＨにおいてトランスポートブロックを受信する受信部と、前記トランスポートブロックに含まれる第１のコードブロックグループを復号化する復号化部と、を備え、前記第１のコードブロックグループは、１または複数のコードブロックを含み、前記１または複数のコードブロックに含まれる系列は、リダンダンシーバージョンに少なくとも基づき与えられ、前記下りリンク制御情報において、前記第１のコードブロックグループに対応する第１のソフトビットをフラッシュすることが指示された場合、前記１または複数のコードブロックの
リダンダンシーバージョンは所定の値に設定され、前記下りリンク制御情報において、前記第１のソフトビットをフラッシュすることが指示されない場合、前記１または複数のコードブロックの前記リダンダンシーバージョンは前記下りリンク制御情報により指示される。
【０００８】
（２）本発明の第２の態様は、基地局装置であって、トランスポートブロックのためのＰＤＳＣＨを下りリンク制御情報でスケジューリングする送信部と、前記トランスポートブロックに含まれる第１のコードブロックグループを設定し、符号化する符号化部と、を備え、前記第１のコードブロックグループは、１または複数のコードブロックを含み、前記１または複数のコードブロックに含まれる系列は、リダンダンシーバージョンに少なくとも基づき与えられ、前記下りリンク制御情報において、前記第１のコードブロックグループに対応する第１のソフトビットをフラッシュすることが指示された場合、前記１または複数のコードブロックのリダンダンシーバージョンは所定の値に設定され、前記下りリンク制御情報において、前記第１のソフトビットをフラッシュすることが指示されない場合、前記１または複数のコードブロックの前記リダンダンシーバージョンは前記下りリンク制御情報により指示される。
【０００９】
（３）本発明の第３の態様は、基地局装置の通信方法であって、トランスポートブロックのためのＰＤＳＣＨを下りリンク制御情報でスケジューリングするステップと、前記トランスポートブロックに含まれる第１のコードブロックグループを設定し、符号化するステップと、を備え、前記第１のコードブロックグループは、１または複数のコードブロックを含み、前記１または複数のコードブロックに含まれる系列は、リダンダンシーバージョンに少なくとも基づき与えられ、前記下りリンク制御情報において、前記第１のコードブロックグループに対応する第１のソフトビットをフラッシュすることが指示された場合、前記１または複数のコードブロックのリダンダンシーバージョンは所定の値に設定され、前記下りリンク制御情報において、前記第１のソフトビットをフラッシュすることが指示されない場合、前記１または複数のコードブロックの前記リダンダンシーバージョンは前記下りリンク制御情報により指示される。
【発明の効果】
【００１０】
この発明によれば、端末装置は、効率的に上りリンクおよび／または下りリンク通信を行うことができる。また、基地局装置は、効率的に上りリンクおよび／または下りリンク通信を行うことができる。
【図面の簡単な説明】
【００１１】
【図１】本実施形態の無線通信システムの概念図である。
【図２】本実施形態の一態様に係る無線フレーム、サブフレーム、および、スロットの構成を示す一例である。
【図３】本実施形態の一態様に係る制御リソースセットのマッピングの一例を示した図である。
【図４】本実施形態の一態様に係る第１の初期接続手順（４−ｓｔｅｐ  ｃｏｎｔｅｎｔｉｏｎ  ｂａｓｅｄ  ＲＡＣＨ  ｐｒｏｃｅｄｕｒｅ）の一例を示す図である。
【図５】物理層の送信プロセス３０００の構成の一例を示した図である。
【図６】本実施形態の符号化処理部３００１の構成例を示した図である。
【図７】本実施形態の一態様に係る第１の系列ｂｋ０が複数の第１の系列グループｂｋｎ（図７中においては、ｎ＝１〜３）に分割される動作の一例を示す図である。
【図８】本実施形態の一態様に係る第１の系列ｂｋ０が複数の第１の系列グループｂｋｎ（図８中においては、ｎ＝１〜３）に分割される動作の一例を示す図である。
【図９】本実施形態の一態様に係る第１の並び替えの方法を示す一例である。
【図１０】本実施形態の一態様に係るコードブロック分割部４０１１におけるコードブロック数を算出するための第１の手順の一例を示す図である。
【図１１】本実施形態の一態様に係るＣＢＧの構成例を示した図である。
【図１２】本実施形態の一態様に係るＣＢＧの構成例を示した図である。
【図１３】本実施形態の一態様に係る物理チャネルにマップされるビット系列がＲＶ番号に基づき与えられる動作例を示す概略図である。
【図１４】本実施形態の一態様に係るビット選択および切断部４００５のレートマッチ操作の一例を示す図である。
【図１５】本実施形態における端末装置１の構成を示す概略ブロック図である。
【図１６】本実施形態における基地局装置３の構成を示す概略ブロック図である。
【発明を実施するための形態】
【００１２】
以下、本発明の実施形態について説明する。以下の説明に含まれる記載“与えられる”は、“決定される”、または、“設定される”のいずれに読み替えられてもよい。
【００１３】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１とも呼称する。
【００１４】
以下、本実施形態の無線フレーム（ｒａｄｉｏ  ｆｒａｍｅ）の構成の一例について説明する。
【００１５】
図２は、本実施形態の一態様に係る無線フレーム、サブフレーム、および、スロットの構成を示す一例である。図２に示す一例では、スロットの長さは０．５ｍｓであり、サブフレームの長さは１ｍｓであり、無線フレームの長さは１０ｍｓである。スロットは、時間領域におけるリソース割り当ての単位であってもよい。スロットは、１つのトランスポートブロックがマップされる単位であってもよい。トランスポートブロックは、１つのスロットにマップされてもよい。トランスポートブロックは、上位層（例えば、ＭＡＣ：Ｍｅｄｉａｍ  Ａｃｃｅｓｓ  Ｃｏｎｔｒｏｌ）で規定される所定の間隔（例えば、送信時間間隔（ＴＴＩ：Ｔｒａｎｓｍｉｓｓｉｏｎ  Ｔｉｍｅ  Ｉｎｔｅｒｖａｌ））内に送信されるデータの単位であってもよい。
【００１６】
スロットの長さは、ＯＦＤＭシンボルの数によって与えられてもよい。例えば、ＯＦＤＭシンボルの数は、７、または、１４であってもよい。スロットの長さは、少なくともＯＦＤＭシンボルの長さに基づき与えられてもよい。ＯＦＤＭシンボルの長さは、第２のサブキャリア間隔に少なくとも基づき与えられてもよい。ＯＦＤＭシンボルの長さは、ＯＦＤＭシンボルの生成に用いられる高速フーリエ変換（ＦＦＴ：Ｆａｓｔ  Ｆｏｕｒｉｅｒ
Ｔｒａｎｓｆｏｒｍ）のポイント数に少なくとも基づき与えられてもよい。ＯＦＤＭシンボルの長さは、該ＯＦＤＭシンボルに付加されるサイクリックプレフィックス（ＣＰ：Ｃｙｃｌｉｃ  Ｐｒｅｆｉｘ）の長さを含んでもよい。ここで、ＯＦＤＭシンボルは、シンボルと呼称されてもよい。また、端末装置１と基地局装置３の間の通信において、ＯＦＤＭ以外の通信方式が使用される場合（例えば、ＳＣ−ＦＤＭＡやＤＦＴ−ｓ−ＯＦＤＭが使用される場合等）、生成されるＳＣ−ＦＤＭＡシンボル、および／または、ＤＦＴ−ｓ−ＯＦＤＭシンボルはＯＦＤＭシンボルとも呼称される。つまり、ＯＦＤＭシンボルは、ＤＦＴ−ｓ−ＯＦＤＭシンボル、および／または、ＳＣ−ＦＤＭＡシンボルを含んでもよい。例えば、スロットの長さは、０．２５ｍｓ、０．５ｍｓ、１ｍｓ、２ｍｓ、３ｍｓであってもよい。ＯＦＤＭはＳＣ−ＦＤＭＡ、または、ＤＦＴ−ｓ−ＯＦＤＭを含んでもよい。
【００１７】
ＯＦＤＭは、波形整形（Ｐｕｌｓｅ  Ｓｈａｐｅ）、ＰＡＰＲ低減、帯域外輻射低減、または、フィルタリング、および／または、位相処理（例えば、位相回転等）が適用され
たマルチキャリアの通信方式を含む。マルチキャリアの通信方式は、複数のサブキャリアが多重された信号を生成／送信する通信方式であってもよい。
【００１８】
サブフレームの長さは、１ｍｓであってもよい。サブフレームの長さは、第１のサブキャリア間隔に基づき与えられてもよい。例えば、第１のサブキャリア間隔が１５ｋＨｚである場合、サブフレームの長さは１ｍｓであってもよい。サブフレームは、１、または、複数のスロットを含んで構成されてもよい。例えば、サブフレームは２つのスロットを含んで構成されてもよい。
【００１９】
無線フレームは、複数のサブフレームを含んで構成されてもよい。無線フレームのためのサブフレームの数は、例えば、１０であってもよい。無線フレームは、複数のスロットを含んで構成されてもよい。無線フレームのためのスロットの数は、例えば、１０であってもよい。
【００２０】
以下、本実施形態の種々の態様に係る物理チャネルおよび物理シグナルを説明する。端末装置は、物理チャネル、および／または、物理シグナルを送信してもよい。基地局装置は、物理チャネル、および／または、物理シグナルを送信してもよい。
【００２１】
下りリンク物理チャネルおよび下りリンク物理シグナルは、下りリンク信号とも呼称される。上りリンク物理チャネルおよび上りリンク物理シグナルは、上りリンク信号とも呼称される。下りリンク物理チャネルおよび上りリンク物理チャネルは、物理チャネルとも呼称される。下りリンク物理シグナルおよび上りリンク物理シグナルは、物理シグナルとも呼称される。
【００２２】
端末装置１から基地局装置３への上りリンクの無線通信では、以下の上りリンク物理チャネルが少なくとも用いられてもよい。上りリンク物理チャネルは、上位層から出力された情報を送信するために、物理層によって使用されてもよい。
・ＰＵＣＣＨ（Ｐｈｙｓｉｃａｌ  Ｕｐｌｉｎｋ  Ｃｏｎｔｒｏｌ  Ｃｈａｎｎｅｌ）
・ＰＵＳＣＨ（Ｐｈｙｓｉｃａｌ  Ｕｐｌｉｎｋ  Ｓｈａｒｅｄ  Ｃｈａｎｎｅｌ）
・ＰＲＡＣＨ（Ｐｈｙｓｉｃａｌ  Ｒａｎｄｏｍ  Ａｃｃｅｓｓ  Ｃｈａｎｎｅｌ）
ＰＵＣＣＨは、上りリンク制御情報（ＵＣＩ：Ｕｐｌｉｎｋ  Ｃｏｎｔｒｏｌ  Ｉｎｆｏｒｍａｔｉｏｎ）を送信するために用いられる。上りリンク制御情報は、下りリンクチャネルのチャネル状態情報（ＣＳＩ：Ｃｈａｎｎｅｌ  Ｓｔａｔｅ  Ｉｎｆｏｒｍａｔｉｏｎ）、初期送信のためのＰＵＳＣＨ（ＵＬ−ＳＣＨ：Ｕｐｌｉｎｋ−Ｓｈａｒｅｄ  Ｃｈａｎｎｅｌ）リソースを要求するために用いられるスケジューリングリクエスト（ＳＲ：Ｓｃｈｅｄｕｌｉｎｇ  Ｒｅｑｕｅｓｔ）、下りリンクデータ（ＴＢ：Ｔｒａｎｓｐｏｒｔ  ｂｌｏｃｋ、ＭＡＣ  ＰＤＵ：Ｍｅｄｉｕｍ  Ａｃｃｅｓｓ  Ｃｏｎｔｒｏｌ  Ｐｒｏｔｏｃｏｌ  Ｄａｔａ  Ｕｎｉｔ、ＤＬ−ＳＣＨ：Ｄｏｗｎｌｉｎｋ−Ｓｈａｒｅｄ
Ｃｈａｎｎｅｌ、ＰＤＳＣＨ：Ｐｈｙｓｉｃａｌ  Ｄｏｗｎｌｉｎｋ  Ｓｈａｒｅｄ  Ｃｈａｎｎｅｌ）に対するＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）を含む。ＨＡＲＱ−ＡＣＫは、ＡＣＫ（ａｃｋｎｏｗｌｅｄｇｅｍｅｎｔ）またはＮＡＣＫ（ｎｅｇａｔｉｖｅ−ａｃｋｎｏｗｌｅｄｇｅｍｅｎｔ）を示す。ＨＡＲＱ−ＡＣＫを、ＨＡＲＱフィードバック、ＨＡＲＱ制御情報、および、ＡＣＫ／ＮＡＣＫとも称する。ＨＡＲＱ−ＡＣＫは、ＣＢＧ（Ｃｏｄｅ  Ｂｌｏｃｋ  Ｇｒｏｕｐ）のためのＨＡＲＱ−ＡＣＫを含んでもよい。トランスポートブロックに含まれるＣＢＧの一部または全部のためのＨＡＲＱ−ＡＣＫがＰＵＣＣＨ、または、ＰＵＳＣＨにおいて送信されてもよい。
【００２３】
チャネル状態情報（ＣＳＩ：Ｃｈａｎｎｅｌ  Ｓｔａｔｅ  Ｉｎｆｏｒｍａｔｉｏｎ）は、チャネル品質指標（ＣＱＩ：Ｃｈａｎｎｅｌ  Ｑｕａｌｉｔｙ  Ｉｎｄｉｃａｔｏｒ
）とランク指標（ＲＩ：Ｒａｎｋ  Ｉｎｄｉｃａｔｏｒ）を含んでもよい。チャネル品質指標は、プレコーダ行列指標（ＰＭＩ：Ｐｒｅｃｏｄｅｒ  Ｍａｔｒｉｘ  Ｉｎｄｉｃａｔｏｒ）を含んでもよい。チャネル状態情報はプレコーダ行列指標を含んでもよい。ＣＱＩは、チャネル品質（伝搬強度）に関連する指標であり、ＰＭＩは、プレコーダを指示する指標である。ＲＩは、送信ランク（または、送信レイヤ数）を指示する指標である。
【００２４】
ＰＵＳＣＨは、上りリンクデータ（ＴＢ、ＭＡＣ  ＰＤＵ、ＵＬ−ＳＣＨ、ＰＵＳＣＨ）を送信するために用いられる。ＰＵＳＣＨは、上りリンクデータと共にＨＡＲＱ−ＡＣＫおよび／またはチャネル状態情報を送信するために用いられてもよい。ＰＵＳＣＨはチャネル状態情報のみ、または、ＨＡＲＱ−ＡＣＫおよびチャネル状態情報のみを送信するために用いられてもよい。ＰＵＳＣＨは、ランダムアクセスメッセージ３を送信するために用いられる。
【００２５】
ＰＲＡＣＨは、ランダムアクセスプリアンブル（ランダムアクセスメッセージ１）を送信するために用いられる。ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンクデータの送信に対する同期（タイミング調整）、およびＰＵＳＣＨ（ＵＬ−ＳＣＨ）リソースの要求の少なくとも一部を示すために用いられてもよい。ランダムアクセスプリアンブルは、端末装置１の上位層より与えられるインデックス（ランダムアクセスプリアンブルインデックス）を基地局装置３に通知するために用いられてもよい。
【００２６】
ランダムアクセスプリアンブルは、物理ルートシーケンスインデックスｕに対応するＺａｄｏｆｆ−Ｃｈｕ系列をサイクリックシフトすることによって与えられてもよい。Ｚａｄｏｆｆ−Ｃｈｕ系列は、物理ルートシーケンスインデックスｕに基づいて生成されてもよい。１つのセルにおいて、複数のランダムアクセスプリアンブルが定義されてもよい。ランダムアクセスプリアンブルは、ランダムアクセスプリアンブルのインデックス少なくとも基づき特定されてもよい。ランダムアクセスプリアンブルの異なるインデックスに対応する異なるランダムアクセスプリアンブルは、物理ルートシーケンスインデックスｕとサイクリックシフトの異なる組み合わせに対応してもよい。物理ルートシーケンスインデックスｕ、および、サイクリックシフトは、システム情報に含まれる情報に少なくとも基づいて与えられてもよい。物理ルートシーケンスインデックスｕは、ランダムアクセスプリアンブルに含まれる系列を識別するインデックスであってもよい。ランダムアクセスプリアンブルは、物理ルートシーケンスインデックスｕに少なくとも基づき特定されてもよい。
【００２７】
端末装置１から基地局装置３への上りリンクの無線通信では、以下の上りリンク物理シグナルが用いられてもよい。上りリンク物理シグナルは、上位層から出力された情報を送信するために使用されないくてもよいが、物理層によって使用される。
・上りリンク参照信号（ＵＬ  ＲＳ：Ｕｐｌｉｎｋ  Ｒｅｆｅｒｅｎｃｅ  Ｓｉｇｎａｌ）
本実施形態において、少なくとも以下の２つのタイプの上りリンク参照信号が少なくとも用いられてもよい。
・ＤＭＲＳ（Ｄｅｍｏｄｕｌａｔｉｏｎ  Ｒｅｆｅｒｅｎｃｅ  Ｓｉｇｎａｌ）
・ＳＲＳ（Ｓｏｕｎｄｉｎｇ  Ｒｅｆｅｒｅｎｃｅ  Ｓｉｇｎａｌ）
ＤＭＲＳは、ＰＵＳＣＨ、および／または、ＰＵＣＣＨの送信に関連する。ＤＭＲＳは、ＰＵＳＣＨまたはＰＵＣＣＨと多重されてもよい。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。該ＤＭＲＳは該ＰＵＳＣ
Ｈに対応してもよい。以下、ＰＵＣＣＨとＤＭＲＳを共に送信することを、単にＰＵＣＣＨを送信すると称する。該ＤＭＲＳは該ＰＵＣＣＨに対応してもよい。
【００２８】
ＳＲＳは、ＰＵＳＣＨ、および／または、ＰＵＣＣＨの送信に関連しなくてもよい。ＳＲＳは、ＰＵＳＣＨ、および／または、ＰＵＣＣＨの送信に関連してもよい。基地局装置３は、チャネル状態の測定のためにＳＲＳを用いてもよい。ＳＲＳは、上りリンクスロットにおけるサブフレームの最後、または、最後から所定数のＯＦＤＭシンボルにおいて送信されてもよい。
【００２９】
基地局装置３から端末装置１への下りリンクの無線通信では、以下の下りリンク物理チャネルが用いられてもよい。下りリンク物理チャネルは、上位層から出力された情報を送信するために、物理層によって使用されてもよい。
・ＰＢＣＨ（Ｐｈｙｓｉｃａｌ  Ｂｒｏａｄｃａｓｔ  Ｃｈａｎｎｅｌ）
・ＰＤＣＣＨ（Ｐｈｙｓｉｃａｌ  Ｄｏｗｎｌｉｎｋ  Ｃｏｎｔｒｏｌ  Ｃｈａｎｎｅｌ）
・ＰＤＳＣＨ（Ｐｈｙｓｉｃａｌ  Ｄｏｗｎｌｉｎｋ  Ｓｈａｒｅｄ  Ｃｈａｎｎｅｌ）
ＰＢＣＨは、端末装置１において共通に用いられるマスターインフォメーションブロック（ＭＩＢ：Ｍａｓｔｅｒ  Ｉｎｆｏｒｍａｔｉｏｎ  Ｂｌｏｃｋ、ＢＣＨ、Ｂｒｏａｄｃａｓｔ  Ｃｈａｎｎｅｌ）を報知するために用いられる。ＰＢＣＨは、所定の送信間隔に基づき送信されてもよい。例えば、ＰＢＣＨは、８０ｍｓの間隔で送信されてもよい。ＰＢＣＨに含まれる情報の少なくとも一部は、８０ｍｓごとに更新されてもよい。ＰＢＣＨは、２８８サブキャリアにより構成されてもよい。ＰＢＣＨは、２、３、または、４ＯＦＤＭシンボルを含んで構成されてもよい。ＭＩＢは、同期信号の識別子（インデックス）に関連する情報を含んでもよい。ＭＩＢは、ＰＢＣＨが送信されるスロットの番号、サブフレームの番号、および、無線フレームの番号の少なくとも一部を指示する情報を含んでもよい。第１の設定情報はＭＩＢに含まれてもよい。該第１の設定情報は、ランダムアクセスメッセージ２、ランダムアクセスメッセージ３、ランダムアクセスメッセージ４の一部または全部に少なくとも用いられる設定情報であってもよい。
【００３０】
ＰＤＣＣＨは、下りリンク制御情報（ＤＣＩ：Ｄｏｗｎｌｉｎｋ  Ｃｏｎｔｒｏｌ  Ｉｎｆｏｒｍａｔｉｏｎ）を送信するために用いられる。下りリンク制御情報は、ＤＣＩフォーマットとも呼称される。下りリンク制御情報は、下りリンクグラント（ｄｏｗｎｌｉｎｋ  ｇｒａｎｔ）または上りリンクグラント（ｕｐｌｉｎｋ  ｇｒａｎｔ）のいずれかを少なくとも含んでもよい。下りリンクグラントは、下りリンクアサインメント（ｄｏｗｎｌｉｎｋ  ａｓｓｉｇｎｍｅｎｔ）または下りリンク割り当て（ｄｏｗｎｌｉｎｋ  ａｌｌｏｃａｔｉｏｎ）とも呼称される。上りリンクグラントと下りリンクグラントは、まとめてグラントとも呼称される。
【００３１】
１つの下りリンクグラントは、１つのサービングセル内の１つのＰＤＳＣＨのスケジューリングのために少なくとも用いられる。下りリンクグラントは、該下りリンクグラントが送信されたスロットと同じスロット内のＰＤＳＣＨのスケジューリングのために少なくとも用いられてもよい。
【００３２】
１つの上りリンクグラントは、１つのサービングセル内の１つのＰＵＳＣＨのスケジューリングのために少なくとも用いられてもよい。
【００３３】
下りリンク制御情報は、どのＣＢＧが実際に送信されたかを示す情報を含んでもよい。どのＣＢＧが実際に送信されたかを示す情報は、ＣＢＧの送信を指示する情報とも呼称される。ＣＢＧの送信を指示する情報は、下りリンク制御情報によってスケジューリングされるＰＤＳＣＨ、および／または、ＰＵＳＣＨに含まれて実際に送信されるＣＢＧを示し
てもよい。ＣＢＧの送信を指示する情報は、該ＣＢＧの送信を指示する情報を含む下りリンク制御情報によりスケジューリングされるＰＤＳＣＨ、および／または、ＰＵＳＣＨに含まれるトランスポートブロックに含まれるＣＢＧの数ＮＣＢＧ、および／または、該トランスポートブロックに含まれるＣＢＧの最大数ＮＣＢＧ＿ｍａｘに少なくとも基づき与えられるビットマップであってもよい。該ビットマップに含まれるビットのそれぞれは１つのＣＢＧに対応してもよい。ＣＢＧが送信されることを示すために、該ビットは‘１’にセットされてもよい。ＣＢＧが送信されないことを示すために、該ビットは‘０’にセットされてもよい。なお、ＣＢＧの送信を指示する情報が下りリンクグラントに含まれる場合には、ＰＤＳＣＨに含まれて実際に送信されるＣＢＧを示してもよい。また、ＣＢＧの送信を指示する情報が上りリンクグラントに含まれる場合には、ＰＵＳＣＨに含まれて再送信されるＣＢＧを示してもよい。
【００３４】
下りリンク制御情報は、ソフトビットの処理方法を指示する情報を含んで送信されてもよい。ソフトビットの処理方法は、ソフトビットをフラッシュする処理が含んでもよい。“ソフトビットをフラッシュする”とは、“所定の記憶容量にストア（保存）されるソフトビットを該所定の記憶容量から消去すること”であってもよい。所定の記憶容量は、例えばメモリ、バッファ、ディスク等であってもよい。ソフトビットの処理方法を指示する情報は、トランスポートブロックに含まれるＣＢＧの数ＮＣＢＧ、および／または、トランスポートブロックに含まれるＣＢＧの最大数ＮＣＢＧ＿ｍａｘに少なくとも基づき与えられるビットマップであってもよい。ソフトビットの処理方法を指示する情報は、ＣＢＧに対応するストアされたソフトビットがフラッシュされるか否かを指示する情報であってもよい。ＣＢＧに対応するストアされたソフトビットは、ＣＢＧに含まれるＣＢに対応するストアされたソフトビットであってもよい。該ビットマップに含まれるビットのそれぞれは１つのＣＢＧに対応してもよい。ＣＢＧに対応するソフトビットをフラッシュすることを端末装置１に指示するために、該ビットは‘１’にセットされてもよい。ＣＢＧに対応するソフトビットをフラッシュしないことを端末装置１に指示するために、該ビットは‘０’にセットされてもよい。
【００３５】
“ＣＢＧに対応するストアされたソフトビットがフラッシュされるか否か”は、“ＣＢＧに対応するソフトビットが復号に用いられるか否か”であってもよい。例えば、ＣＢＧの復号のために、該ＣＢＧに対応するソフトビットが用いられるか否かがソフトビットの処理方法を指示する情報に少なくとも基づき与えられてもよい。ＣＢＧに対応するソフトビットは、ＣＢＧに対応し、ソフトバッファにストアされたソフトビットであってもよい。該ＣＢＧは、直前に送信されたＣＢＧであってもよい。例えば、ＣＢＧに対応するソフトビットが復号に用いられないことを端末装置１に指示するために該ビットは‘１’にセットされてもよい。ＣＢＧに対応するソフトビットが復号に用いられることを端末装置１に指示するために該ビットは‘０’にセットされてもよい。
【００３６】
“ＣＢＧに対応するストアされたソフトビットがフラッシュされるか否か”は、“ＣＢＧの受信データと、該ＣＢＧに対応するソフトビットが結合されるか否か”であってもよい。該ＣＢＧの復号において、該ＣＢＧの受信データと、該ソフトビットが結合されるか否かがソフトビットの処理方法を指示する情報に少なくとも基づき与えられてもよい。例えば、該ＣＢＧの受信データと該ストアされたソフトビットが結合されないことを端末装置１に指示するために該ビットは‘１’にセットされてもよい。該ＣＢＧの受信データと該ストアされたソフトビットが結合されることを端末装置１に指示するために該ビットは‘０’にセットされてもよい。
【００３７】
端末装置１は、トランスポートブロックに含まれるコードブロックのデコード（復号）に失敗した場合に、該コードブロックのソフトビットの一部、または、全部をストアしてもよい。端末装置１は、ソフトビットの処理方法を指示する情報に基づいて、コードブロ
ックのソフトビットをフラッシュしてもよい。例えば、端末装置１は、ソフトビットの処理方法を指示する情報によってＣＢＧに対応するソフトビットをフラッシュすることを指示された場合、該ＣＢＧに含まれるコードブロックのソフトビットをフラッシュしてもよい。
【００３８】
トランスポートブロックに対応するストアされたソフトビットがフラッシュされるか否かは、所定のＨＡＲＱプロセスに対応するトランスポートブロックのためのＰＤＳＣＨ、および／または、ＰＵＳＣＨをスケジューリングする下りリンク制御情報に含まれる新データ指標の値が、該所定のＨＡＲＱプロセスに対応する直前のトランスポートブロックのための新データ指標に対して切り替わっているか否かに少なくとも基づき与えられてもよい。例えば、端末装置１は、所定のＨＡＲＱプロセスに対応するトランスポートブロックのためのＰＤＳＣＨ、および／または、ＰＵＳＣＨをスケジューリングする下りリンク制御情報を受信し、該下りリンク制御情報に含まれる新データ指標の値が、該所定のＨＡＲＱプロセスに対応する直前のトランスポートブロックのための新データ指標に対して切り替わっている場合に、該直前のトランスポートブロックのためのソフトビットをフラッシュしてもよい。
【００３９】
“トランスポートブロックに対応するストアされたソフトビットがフラッシュされるか否か”は、“トランスポートブロックに対応するソフトビットが復号に用いられるか否か”であってもよい。“トランスポートブロックに対応するストアされたソフトビットがフラッシュされるか否か”は、“トランスポートブロックの受信データと、該トランスポートブロックに対応するソフトビットが結合されるか否か”であってもよい。
【００４０】
トランスポートブロックの初期送信のためのＰＤＳＣＨ、および／またはＰＵＳＣＨをスケジューリングに用いられる下りリンク制御情報は、ＣＢＧの送信を指示する情報、および／または、ソフトビットの処理方法を指示する情報を含まなくてもよい。トランスポートブロックの初期送信のためのＰＤＳＣＨ、および／または、ＰＵＳＣＨのスケジューリングに用いられる下りリンク制御情報は、ＣＢＧの送信を指示する情報、および／または、ソフトビットの処理方法を指示する情報を含んでもよい。トランスポートブロックの初期送信のためのＰＤＳＣＨ、および／または、ＰＵＳＣＨのスケジューリングに用いられる下りリンク制御情報に含まれるＣＢＧの送信を指示する情報、および／または、ソフトビットの処理方法を指示する情報は、あらかじめ定義されたビット系列（例えば、全て０の系列、または、全て１の系列）にセットされてもよい。トランスポートブロックの初期送信のためのＰＤＳＣＨ、および／または、ＰＵＳＣＨのスケジューリングに用いられる下りリンク制御情報において、ＣＢＧの送信を指示する情報、および／または、ソフトビットの処理方法を指示する情報に用いられる領域（ビットフィールド、情報ビット、ビット領域、ビット数）は、予めリザーブされてもよい。トランスポートブロックの初期送信のためのＰＤＳＣＨ、および／または、ＰＵＳＣＨのスケジューリングに用いられる下りリンク制御情報に含まれるＣＢＧの送信を指示する情報、および／または、ソフトビットの処理方法を指示する情報のための領域（ビットフィールド、情報ビット、ビット領域、ビット数）は、ＭＣＳ、および／または、ＴＢＳの設定のために少なくとも用いられてもよい。
【００４１】
トランスポートブロックためのＰＤＳＣＨ、および／または、ＰＵＳＣＨが初期送信であるか否かは、該トランスポートブロックのためのＰＤＳＣＨ、および／または、ＰＵＳＣＨをスケジューリングする下りリンク制御情報に含まれる新データ指標に少なくとも基づき与えられてもよい。例えば、所定のＨＡＲＱプロセス番号に対応するトランスポートブロックのためのＰＤＳＣＨ、および／または、ＰＵＳＣＨが初期送信であるか否かは、該トランスポートブロックのためのＰＤＳＣＨ、および／または、ＰＵＳＣＨをスケジューリングする下りリンク制御情報に含まれる新データ指標が、該所定のＨＡＲＱプロセス
番号に対応し、直前に送信されたトランスポートブロックに対応する新データ指標に対して切り替わっているか否かに基づき与えられてもよい。
【００４２】
トランスポートブロックのためのＰＤＳＣＨ、および／または、ＰＵＳＣＨの再送信のスケジューリングに用いられる下りリンク制御情報は、ＣＢＧの送信を指示する情報、および／または、ソフトビットの処理方法を指示する情報を含んでもよい。
【００４３】
下りリンク制御情報は、新データ指標（ＮＤＩ：Ｎｅｗ  Ｄａｔａ  Ｉｎｄｉｃａｔｏｒ）を含んでもよい。新データ指標は、該新データ指標に対応するトランスポートブロックが初期送信であるか否かを少なくとも示すために用いられてもよい。新データ指標は、所定のＨＡＲＱプロセス番号に対応し、直前に送信されたトランスポートブロックと、該ＨＡＲＱプロセス番号に対応し、該新データ指標を含む下りリンク制御情報によりスケジューリングされるＰＤＳＣＨ、および／または、ＰＵＳＣＨに含まれるトランスポートブロックが同一であるか否かを示す情報であってもよい。ＨＡＲＱプロセス番号は、ＨＡＲＱプロセスの識別に用いられる番号である。ＨＡＲＱプロセス番号は下りリンク制御情報に含まれてもよい。ＨＡＲＱプロセスは、ＨＡＲＱの管理を行うプロセスである。新データ指標は、所定のＨＡＲＱプロセス番号に対応し、該新データ指標を含む下りリンク制御情報によりスケジューリングされたＰＤＳＣＨ、および／または、ＰＵＳＣＨに含まれるトランスポートブロックの送信が、該所定のＨＡＲＱプロセス番号に対応し、直前に送信されたＰＤＳＣＨ、および／または、ＰＵＳＣＨに含まれるトランスポートブロックの再送であるか否かを示してもよい。該下りリンク制御情報によりスケジューリングされた該ＰＤＳＣＨ、および／または、該ＰＵＳＣＨに含まれる該トランスポートブロックの送信が、該直前に送信されたトランスポートブロックの再送であるか否かは、該新データ指標が該直前に送信されたトランスポートブロックに対応する新データ指標に対して切り替わっている（または、トグルしている）か否かに基づき与えられてもよい。
【００４４】
端末装置１は、ＰＤＣＣＨの探索のために、１または複数の制御リソースセットが設定される。端末装置１は、設定された制御リソースセットにおいてＰＤＣＣＨの受信を試みる。
【００４５】
以下、制御リソースセットについて説明する。
【００４６】
図３は、本実施形態の一態様に係る制御リソースセットのマッピングの一例を示した図である。制御リソースセットは、１つまたは複数の制御チャネルがマップされうる時間周波数領域を示してもよい。制御リソースセットは、端末装置１がＰＤＣＣＨの受信を試みる領域であってもよい。図３（ａ）に示されるように、制御リソースセットは、連続的なリソース（Ｌｏｃａｌｉｚｅｄ  ｒｅｓｏｕｒｃｅ）により構成されてもよい。また、図３（ｂ）に示されるように、制御リソースセットは、非連続的なリソース（ｄｉｓｔｒｉｂｕｔｅｄ  ｒｅｓｏｕｒｃｅ）により構成されてもよい。
【００４７】
周波数領域において、制御リソースセットのマッピングの単位はリソースブロックであってもよい。時間領域において、制御リソースセットのマッピングの単位はＯＦＤＭシンボルであってもよい。
【００４８】
制御リソースセットの周波数領域は、サービングセルのシステム帯域幅と同一であってもよい。また、制御リソースセットの周波数領域は、サービングセルのシステム帯域幅に少なくとも基づき与えられてもよい。制御リソースセットの周波数領域は、上位層のシグナリング、および／下りリンク制御情報に少なくとも基づき与えられてもよい。制御リソースセットの周波数領域は、同期信号、または、ＰＢＣＨの帯域幅に少なくとも基づき与えられてもよい。制御リソースセットの周波数領域は、同期信号、または、ＰＢＣＨの帯
域幅と同一であってもよい。
【００４９】
制御リソースセットの時間領域は、上位層のシグナリング、および／または、下りリンク制御情報に少なくとも基づき与えられてもよい。
【００５０】
制御リソースセットは、共通制御リソースセット（Ｃｏｍｍｏｎ  ｃｏｎｔｒｏｌ  ｒｅｓｏｕｒｃｅ  ｓｅｔ）および専用制御リソースセット（Ｄｅｄｉｃａｔｅｄ  ｃｏｎｔｒｏｌ  ｒｅｓｏｕｒｃｅ  ｓｅｔ）の一方または両方を少なくとも含んでもよい。共通制御リソースセットは、複数の端末装置１に対して共通に設定される制御リソースセットであってもよい。共通制御リソースセットは、ＭＩＢ、第１のシステム情報、第２のシステム情報、共通ＲＲＣシグナリング、セルＩＤ、等に少なくとも基づき与えられてもよい。専用制御リソースセットは、端末装置１のために専用的に用いられるように設定される制御リソースセットであってもよい。専用制御リソースセットは、専用ＲＲＣシグナリング、および／または、Ｃ−ＲＮＴＩの値に少なくとも基づき与えられてもよい。
【００５１】
制御リソースセットは、端末装置１がモニタする制御チャネル（または、制御チャネルの候補）のセットであってもよい。制御リソースセットは、端末装置１がモニタする制御チャネル（または、制御チャネルの候補）のセットを含んでもよい。制御リソースセットは、１または複数の探索領域（サーチスペース、ＳＳ：Ｓｅａｒｃｈ  Ｓｐａｃｅ）を含んで構成されてもよい。制御リソースセットは、探索領域であってもよい。
【００５２】
探索領域は、１または複数のＰＤＣＣＨ候補（ＰＤＣＣＨ  ｃａｎｄｉｄａｔｅ）を含んで構成される。端末装置１は、探索領域に含まれるＰＤＣＣＨ候補を受信し、ＰＤＣＣＨの受信を試みる。ここで、ＰＤＣＣＨ候補は、ブラインド検出候補（ｂｌｉｎｄ  ｄｅｔｅｃｔｉｏｎ  ｃａｎｄｉｄａｔｅ）とも呼称される。
【００５３】
探索領域は、ＣＳＳ（Ｃｏｍｍｏｎ  Ｓｅａｒｃｈ  Ｓｐａｃｅ、共通探索領域）およびＵＳＳ（ＵＥ−ｓｐｅｃｉｆｉｃ  Ｓｅａｒｃｈ  Ｓｐａｃｅ）の一方または両方を少なくとも含んでもよい。ＣＳＳは、複数の端末装置１に対して共有に設定される探索領域であってもよい。ＵＳＳは、端末装置１のために専用的に用いられる設定を含む探索領域であってもよい。ＣＳＳは、ＭＩＢ、第１のシステム情報、第２のシステム情報、共通ＲＲＣシグナリング、セルＩＤ、等に少なくとも基づき与えられてもよい。ＵＳＳは、専用ＲＲＣシグナリング、および／または、Ｃ−ＲＮＴＩの値に少なくとも基づき与えられてもよい。
【００５４】
共通制御リソースセットは、ＣＳＳおよびＵＳＳの一方または両方を少なくとも含んでもよい。専用制御リソースセットは、ＣＳＳおよびＵＳＳの一方または両方を少なくとも含んでもよい。専用制御リソースセットは、ＣＳＳを含まなくてもよい。ＣＳＳで検出されるＰＤＣＣＨによりＰＤＳＣＨ、および／または、ＰＵＳＣＨがスケジューリングされる場合、送信プロセス３０００に適用される動作は、所定の条件１１および第１の設定情報に関わらず動作２であってもよい。ＵＳＳで検出されるＰＤＣＣＨによりＰＤＳＣＨ、および／または、ＰＵＳＣＨがスケジューリングされる場合、送信プロセス３０００に適用される動作は、所定の条件１１、および／または、第１の設定情報に少なくとも基づき与えられてもよい。
【００５５】
探索領域の物理リソースは制御チャネルの構成単位（ＣＣＥ：Ｃｏｎｔｒｏｌ  Ｃｈａｎｎｅｌ  Ｅｌｅｍｅｎｔ）により構成される。ＣＣＥは所定の数のリソース要素グループ（ＲＥＧ：Ｒｅｓｏｕｒｃｅ  Ｅｌｅｍｅｎｔ  Ｇｒｏｕｐ）により構成される。例えば、ＣＣＥは６個のＲＥＧにより構成されてもよい。ＲＥＧは１つのＰＲＢ（Ｐｈｙｓｉｃａｌ  Ｒｅｓｏｕｒｃｅ  Ｂｌｏｃｋ）の１ＯＦＤＭシンボルにより構成されてもよい
。つまり、ＲＥＧは１２個のリソースエレメント（ＲＥ：Ｒｅｓｏｕｒｃｅ  Ｅｌｅｍｅｎｔ）を含んで構成されてもよい。ＰＲＢは、単にＲＢ（Ｒｅｓｏｕｒｃｅ  Ｂｌｏｃｋ）とも呼称される。
【００５６】
ＰＤＳＣＨは、下りリンクデータ（ＴＢ、ＭＡＣ  ＰＤＵ、ＤＬ−ＳＣＨ、ＰＤＳＣＨ）を送信するために用いられる。ＰＤＳＣＨは、ランダムアクセスメッセージ２（ランダムアクセスレスポンス）を送信するために少なくとも用いられる。ＰＤＳＣＨは、初期アクセスのために用いられるパラメータを含むシステム情報を送信するために少なくとも用いられる。
【００５７】
下りリンクの無線通信では、以下の下りリンク物理シグナルが用いられてもよい。下りリンク物理シグナルは、上位層から出力された情報を送信するために使用されなくてもよいが、物理層によって使用されてもよい。
・同期信号（ＳＳ：Ｓｙｎｃｈｒｏｎｉｚａｔｉｏｎ  ｓｉｇｎａｌ）
・下りリンク参照信号（ＤＬ  ＲＳ：Ｄｏｗｎｌｉｎｋ  Ｒｅｆｅｒｅｎｃｅ  Ｓｉｇｎａｌ）
同期信号は、端末装置１が下りリンクの周波数領域および時間領域の同期をとるために用いられる。同期信号は、ＰＳＳ（Ｐｒｉｍａｒｙ  Ｓｙｎｃｈｒｏｎｉｚａｔｉｏｎ  Ｓｉｇｎａｌ）、および、ＳＳＳ（Ｓｅｃｏｎｄ  Ｓｙｎｃｈｒｏｎｉｚａｔｉｏｎ  Ｓｉｇｎａｌ）を少なくとも含む。
【００５８】
下りリンク参照信号は、端末装置１が下りリンク物理チャネルの伝搬路補正を行なうために少なくとも用いられる。下りリンク参照信号は、端末装置１が下りリンクのチャネル状態情報を算出するために少なくとも用いられる。
【００５９】
本実施形態において、以下の２つのタイプの下りリンク参照信号が用いられる。
・ＤＭＲＳ（ＤｅＭｏｄｕｌａｔｉｏｎ  Ｒｅｆｅｒｅｎｃｅ  Ｓｉｇｎａｌ）
・Ｓｈａｒｅｄ  ＲＳ（Ｓｈａｒｅｄ  Ｒｅｆｅｒｅｎｃｅ  Ｓｉｇｎａｌ）
ＤＭＲＳは、ＰＤＣＣＨ、および／または、ＰＤＳＣＨの送信に対応する。ＤＭＲＳは、ＰＤＣＣＨまたはＰＤＳＣＨに多重される。端末装置１は、ＰＤＣＣＨまたはＰＤＳＣＨの伝搬路補正を行なうために該ＰＤＣＣＨまたは該ＰＤＳＣＨと対応するＤＭＲＳを使用してもよい。以下、ＰＤＣＣＨと該ＰＤＣＣＨと対応するＤＭＲＳが共に送信されることは、単にＰＤＣＣＨが送信されると呼称される。以下、ＰＤＳＣＨと該ＰＤＳＣＨと対応するＤＭＲＳが共に送信されることは、単にＰＤＳＣＨが送信されると呼称される。
【００６０】
Ｓｈａｒｅｄ  ＲＳは、少なくともＰＤＣＣＨの送信に対応してもよい。Ｓｈａｒｅｄ
ＲＳは、ＰＤＣＣＨに多重されてもよい。端末装置１は、ＰＤＣＣＨの伝搬路補正を行うためにＳｈａｒｅｄ  ＲＳを使用してもよい。以下、ＰＤＣＣＨとＳｈａｒｅｄ  ＲＳが共に送信されることは、単にＰＤＣＣＨが送信されるとも呼称される。
【００６１】
ＤＭＲＳは、端末装置１に個別に設定されるＲＳであってもよい。ＤＭＲＳの系列は、端末装置１に個別に設定されるパラメータに少なくとも基づいて与えられてもよい。ＤＭＲＳは、ＰＤＣＣＨ、および／または、ＰＤＳＣＨのために個別に送信されてもよい。一方、Ｓｈａｒｅｄ  ＲＳは、複数の端末装置１に共通に設定されるＲＳであってもよい。Ｓｈａｒｅｄ  ＲＳの系列は、端末装置１に個別に設定されるパラメータとは関係なく与えられてもよい。例えば、Ｓｈａｒｅｄ  ＲＳの系列は、スロットの番号、ミニスロットの番号、および、セルＩＤ（ｉｄｅｎｔｉｔｙ）の少なくとも一部に基づいて与えられてもよい。Ｓｈａｒｅｄ  ＲＳは、ＰＤＣＣＨ、および／または、ＰＤＳＣＨが送信されているか否かに関わらず送信されるＲＳであってもよい。
【００６２】
ＢＣＨ、ＵＬ−ＳＣＨおよびＤＬ−ＳＣＨは、トランスポートチャネルである。媒体アクセス制御（ＭＡＣ：Ｍｅｄｉｕｍ  Ａｃｃｅｓｓ  Ｃｏｎｔｒｏｌ）層で用いられるチャネルはトランスポートチャネルと呼称される。ＭＡＣ層で用いられるトランスポートチャネルの単位は、トランスポートブロックまたはＭＡＣ  ＰＤＵとも呼称される。ＭＡＣ層においてトランスポートブロック毎にＨＡＲＱ（Ｈｙｂｒｉｄ  Ａｕｔｏｍａｔｉｃ  Ｒｅｐｅａｔ  ｒｅＱｕｅｓｔ）の制御が行なわれる。トランスポートブロックは、ＭＡＣ層が物理層に渡す（ｄｅｌｉｖｅｒ）データの単位である。物理層において、トランスポートブロックはコードワードにマップされ、コードワード毎に変調処理が行なわれる。
【００６３】
基地局装置３と端末装置１は、上位層（ｈｉｇｈｅｒ  ｌａｙｅｒ）において信号をやり取り（送受信）してもよい。例えば、基地局装置３と端末装置１は、無線リソース制御（ＲＲＣ：  Ｒａｄｉｏ  Ｒｅｓｏｕｒｃｅ  Ｃｏｎｔｒｏｌ）層において、ＲＲＣシグナリング（ＲＲＣ  ｍｅｓｓａｇｅ：  Ｒａｄｉｏ  Ｒｅｓｏｕｒｃｅ  Ｃｏｎｔｒｏｌ
ｍｅｓｓａｇｅ、ＲＲＣ  ｉｎｆｏｒｍａｔｉｏｎ：  Ｒａｄｉｏ  Ｒｅｓｏｕｒｃｅ
Ｃｏｎｔｒｏｌ  ｉｎｆｏｒｍａｔｉｏｎとも称される）を送受信してもよい。また、基地局装置３と端末装置１は、ＭＡＣ層において、ＭＡＣ  ＣＥ（Ｃｏｎｔｒｏｌ  Ｅｌｅｍｅｎｔ）を送受信してもよい。ここで、ＲＲＣシグナリング、および／または、ＭＡＣ  ＣＥを、上位層の信号（ｈｉｇｈｅｒ  ｌａｙｅｒ  ｓｉｇｎａｌｉｎｇ）とも称する。
【００６４】
ＰＵＳＣＨおよびＰＤＳＣＨは、ＲＲＣシグナリング、および、ＭＡＣ  ＣＥを送信するために少なくとも用いられる。ここで、基地局装置３よりＰＤＳＣＨで送信されるＲＲＣシグナリングは、セル内における複数の端末装置１に対して共通のＲＲＣシグナリングであってもよい。セル内における複数の端末装置１に対して共通のＲＲＣシグナリングは、共通ＲＲＣシグナリングとも呼称される。基地局装置３からＰＤＳＣＨで送信されるＲＲＣシグナリングは、ある端末装置１に対して専用のＲＲＣシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のＲＲＣシグナリングは、専用ＲＲＣシグナリングとも呼称される。セルスペシフィックパラメータは、セル内における複数の端末装置１に対して共通のＲＲＣシグナリング、または、ある端末装置１に対して専用のＲＲＣシグナリングを用いて送信されてもよい。ＵＥスペシフィックパラメータは、ある端末装置１に対して専用のＲＲＣシグナリングを用いて送信されてもよい。専用ＲＲＣシグナリングを含むＰＤＳＣＨは、第１の制御リソースセット内のＰＤＣＣＨによってスケジュールされてもよい。第１の設定情報は、専用ＲＲＣシグナリングに含まれてもよい。該第１の設定情報は、少なくともＵＳＳに含まれるＰＤＣＣＨでスケジューリングされるＰＤＳＣＨ、および／または、ＰＵＳＣＨに適用される設定情報であってもよい。第１の設定情報は、共通ＲＲＣシグナリングに含まれてもよい。該第１の設定情報は、少なくともＣＳＳに含まれるＰＤＣＣＨでスケジューリングされるＰＤＳＣＨ、および／または、ＰＵＳＣＨに適用される設定情報であってもよい。第１の設定情報は、共通ＲＲＣシグナリングに含まれなくてもよい。
【００６５】
ＢＣＣＨ（Ｂｒｏａｄｃａｓｔ  Ｃｏｎｔｒｏｌ  ＣＨａｎｎｅｌ）、ＣＣＣＨ（Ｃｏｍｍｏｎ  Ｃｏｎｔｒｏｌ  ＣＨａｎｎｅｌ）、および、ＤＣＣＨ（Ｄｅｄｉｃａｔｅｄ
Ｃｏｎｔｒｏｌ  ＣＨａｎｅｅｌ）は、ロジカルチャネルである。例えば、ＢＣＣＨは、ＭＩＢを送信するために用いられる上位層のチャネルである。また、ＢＣＣＨは、システム情報を送信するために用いられる上位層のチャネルである。なお、システム情報には、ＳＩＢ１（Ｓｙｓｔｅｍ  Ｉｎｆｏｒｍａｔｉｏｎ  Ｂｌｏｃｋ  ｔｙｐｅ１）が含まれてもよい。また、システム情報には、ＳＩＢ２（Ｓｙｓｔｅｍ  Ｉｎｆｏｒｍａｔｉｏｎ  Ｂｌｏｃｋ  ｔｙｐｅ２）を含むＳＩ（Ｓｙｓｔｅｍ  Ｉｎｆｏｒｍａｔｉｏｎ）メッセージが含まれてもよい。また、ＣＣＣＨ（Ｃｏｍｍｏｎ  Ｃｏｎｔｒｏｌ  Ｃｈａｎ
ｎｅｌ）は、複数の端末装置１において共通な情報を送信するために用いられる上位層のチャネルである。ここで、ＣＣＣＨは、例えば、ＲＲＣ接続されていない端末装置１のために用いられる。また、ＤＣＣＨ（Ｄｅｄｉｃａｔｅｄ  Ｃｏｎｔｒｏｌ  Ｃｈａｎｎｅｌ）は、端末装置１に個別の制御情報（ｄｅｄｉｃａｔｅｄ  ｃｏｎｔｒｏｌ  ｉｎｆｏｒｍａｔｉｏｎ）を送信するために用いられる上位層のチャネルである。ここで、ＤＣＣＨは、例えば、ＲＲＣ接続されている端末装置１のために用いられる。
【００６６】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【００６７】
トランスポートチャネルにおけるＵＬ−ＳＣＨは、物理チャネルにおいてＰＵＳＣＨにマップされる。トランスポートチャネルにおけるＤＬ−ＳＣＨは、物理チャネルにおいてＰＤＳＣＨにマップされる。トランスポートチャネルにおけるＢＣＨは、物理チャネルにおいてＰＢＣＨにマップされる。
【００６８】
以下、初期接続の方法例を説明する。
【００６９】
基地局装置３は、基地局装置３によって制御される通信可能範囲（または、通信エリア）を備える。通信可能範囲は、１、または、複数のセル（または、サービングセル、サブセル、ビーム等）に分割され、セルごとに端末装置１との通信を管理することができる。一方、端末装置１は、複数のセルの中から少なくとも１つのセルを選択し、基地局装置３との接続確立を試みる。ここで、端末装置１と基地局装置３の少なくとも１つのセルとの接続が確立された第１の状態は、ＲＲＣ接続（ＲＲＣ  Ｃｏｎｎｅｃｔｉｏｎ）とも呼称される。また、端末装置１が基地局装置３のどのセルとの接続も確立されていない第２の状態は、ＲＲＣアイドルとも呼称される。また、端末装置１と基地局装置３の少なくとも１つのセルとの接続が確立されているが、端末装置１と基地局装置３の間で一部の機能が制限される第３の状態は、ＲＲＣ中断（ＲＲＣ  ｓｕｓｐｅｎｄｅｄ）とも呼称される。ＲＲＣ中断は、ＲＲＣ不活性（ＲＲＣ  ｉｎａｃｔｉｖｅ）とも呼称される。
【００７０】
ＲＲＣアイドルの端末装置１は、基地局装置３の少なくとも１つのセルとの接続確立を試みてもよい。ここで、端末装置１が接続を試みるセルは、ターゲットセルとも呼称される。図４は、本実施形態の一態様に係る第１の初期接続手順（４−ｓｔｅｐ  ｃｏｎｔｅｎｔｉｏｎ  ｂａｓｅｄ  ＲＡＣＨ  ｐｒｏｃｅｄｕｒｅ）の一例を示す図である。第１の初期接続手順は、ステップ５１０１〜５１０４の一部を少なくとも含んで構成される。
【００７１】
ステップ５１０１は、端末装置１がターゲットセルに物理チャネルを介して、初期接続のための応答を要求するステップである。または、ステップ５１０１は、端末装置１がターゲットセルに物理チャネルを介して最初の送信を行うステップである。ここで、該物理チャネルは、例えば、ＰＲＡＣＨであってもよい。該物理チャネルは、初期接続のための応答を要求するために専用的に用いられるチャネルであってもよい。また、該物理チャネルは、ＰＲＡＣＨであってもよい。ステップ５１０１において、端末装置１より該物理チャネルを介して送信されるメッセージは、ランダムアクセスメッセージ１とも呼称される。
【００７２】
端末装置１は、ステップ５１０１の実施に先立って、下りリンクの時間周波数同期を行う。第１の状態において端末装置１が下りリンクの時間周波数同期を行うために同期信号が用いられる。
【００７３】
同期信号は、ターゲットセルのＩＤ（セルＩＤ）を含んで送信されてもよい。同期信号は、セルＩＤに少なくとも基づき生成される系列を含んで送信されてもよい。同期信号がセルＩＤを含むことは、セルＩＤに基づき同期信号の系列が与えられることであってもよい。同期信号は、ビーム（または、プレコーダ）が適用され、送信されてもよい。
【００７４】
ビームは、方向に応じてアンテナ利得が異なる現象を示す。ビームは、アンテナの指向性に少なくとも基づき与えられてもよい。また、ビームは、搬送波信号の位相変換に少なくとも基づき与えられてもよい。また、ビームは、プレコーダが適用されることにより与えられてもよい。
【００７５】
端末装置１は、ターゲットセルより送信されるＰＢＣＨを受信する。ＰＢＣＨは、端末装置１がターゲットセルと接続するために用いられる重要なシステム情報を含む重要情報ブロック（ＭＩＢ：Ｍａｓｔｅｒ  Ｉｎｆｏｒｍａｔｉｏｎ  Ｂｌｏｃｋ、ＥＩＢ：Ｅｓｓｅｎｔｉａｌ  Ｉｎｆｏｒｍａｔｉｏｎ  Ｂｌｏｃｋ）を含んで送信されてもよい。重要情報ブロックは、システム情報である。重要情報ブロックは、無線フレームの番号に関する情報を含んでもよい。重要情報ブロックは、複数の無線フレームで構成されるスーパーフレーム内における位置に関する情報（例えば、スーパーフレーム内におけるシステムフレーム番号（ＳＦＮ：Ｓｙｓｔｅｍ  Ｆｒａｍｅ  Ｎｕｍｂｅｒ）の少なくとも一部を示す情報）を含んでもよい。また、ＰＢＣＨは、同期信号のインデックスを含んでもよい。重要情報ブロックは、トランスポートチャネルにおいてＢＣＨにマップされてもよい。重要情報ブロックは、ロジカルチャネルにおいてＢＣＣＨにマップされてもよい。
【００７６】
端末装置１は、第１の制御制御リソースセットのモニタリングを実施する。第１の制御リソースセットは、第１のシステム情報のためのＰＤＳＣＨのスケジューリングのために少なくとも用いられる。第１のシステム情報は、端末装置１がターゲットセルに接続するために重要なシステム情報を含んでもよい。第１のシステム情報は、下りリンクの種々の設定に関する情報を含んでもよい。第１のシステム情報は、ＰＲＡＣＨの種々の設定に関する情報を含んでもよい。第１のシステム情報は、上りリンクの種々の設定に関する情報を含んでもよい。第１のシステム情報は、ランダムアクセスメッセージ３送信に設定される信号波形を指示する情報（ＯＦＤＭまたはＤＦＴ−ｓ−ＯＦＤＭ）を含んでもよい。第１のシステム情報は、ＭＩＢに含まれる情報以外のシステム情報の一部を少なくとも含んでもよい。第１のシステム情報は、トランスポートチャネルにおいて、ＢＣＨにマップされてもよい。第１のシステム情報は、ロジカルチャネルにおいてＢＣＣＨにマップされてもよい。第１のシステム情報は、ＳＩＢ１（Ｓｙｓｔｅｍ  Ｉｎｆｏｒｍａｔｉｏｎ  Ｂｌｏｃｋ  ｔｙｐｅ１）を少なくとも含んでもよい。第１のシステム情報は、ＳＩＢ２（Ｓｙｓｔｅｍ  Ｉｎｆｏｒｍａｔｉｏｎ  Ｂｌｏｃｋ  ｔｙｐｅ１）を少なくとも含んでもよい。第１の制御リソースセットは、ランダムアクセスメッセージ２のためのＰＤＳＣＨのスケジューリングのために用いられてもよい。なお、ＳＩＢ１は、ＲＲＣ接続を行なうために必要な測定に関する情報を含んでもよい。また、ＳＩＢ２は、セル内の複数の端末装置１間で、共通、および／または、共有されるチャネルに関する情報を含んでもよい。
【００７７】
ステップ５１０２は、基地局装置３が端末装置１に対して、ランダムアクセスメッセージ１への応答を行うステップである。該応答は、ランダムアクセスメッセージ２とも呼称される。ランダムアクセスメッセージ２は、ＰＤＳＣＨを介して送信されてもよい。ランダムアクセスメッセージ２を含むＰＤＳＣＨは、ＰＤＣＣＨによりスケジューリングされる。該ＰＤＣＣＨに含まれるＣＲＣビットは、ＲＡ−ＲＮＴＩ（Ｒｏｎｄｏｍ  ａｃｃｅｓｓ  −  ＲＮＴＩ）によりスクランブルされてもよい。ランダムアクセスメッセージ２は、特別な上りリンクグラントを含んで送信されてもよい。該特別な上りリンクグラント
は、ランダムアクセスレスポンスグラントとも呼称される。該特別な上りリンクグラントは、ランダムアクセスメッセージ２を含むＰＤＳＣＨに含まれてもよい。ランダムアクセスレスポンスグラントは、少なくともＴｅｍｐｏｒａｒｙ  Ｃ−ＲＮＴＩを含んで送信されてもよい。ＲＡ−ＲＮＴＩは、ランダムアクセスメッセージ２のモニタリングのために用いられるＲＮＴＩであってもよい。ＲＡ−ＲＮＴＩは、端末装置１によって送信されるランダムアクセスメッセージ１のプリアンブルインデックスに少なくとも基づき与えられてもよい。ＲＡ−ＲＮＴＩは、該ランダムアクセスメッセージ１の送信に用いられる無線リソース（例えば、ＰＲＢのインデックス、サブキャリアインデックス、ＯＦＤＭシンボルのインデックス、スロットのインデックス、サブフレームのインデックスの一部または全部を含んでもよい）に少なくとも基づき与えられてもよい。Ｔｅｍｐｏｒａｒｙ  Ｃ−ＲＮＴＩは、ランダムアクセスメッセージ４のモニタリングのために用いられるＲＮＴＩであってもよい。Ｔｅｍｐｏｒａｒｙ  Ｃ−ＲＮＴＩは、ランダムアクセスレスポンスグラントに含まれてもよい。
【００７８】
ステップ５１０３は、端末装置１がターゲットセルに対して、ＲＲＣ接続のリクエストを送信するステップである。該ＲＲＣ接続のリクエストは、ランダムアクセスメッセージ３とも呼称される。ランダムアクセスメッセージ３は、ランダムアクセスレスポンスグラントによりスケジューリングされるＰＵＳＣＨを介して送信されてもよい。ランダムアクセスメッセージ３は、端末装置１の識別に用いられるＩＤを含んでもよい。該ＩＤは、上位層で管理されるＩＤであってもよい。該ＩＤは、Ｓ−ＴＭＳＩ（ＳＡＥ  Ｔｅｍｐｏｒａｒｙ  Ｍｏｂｉｌｅ  Ｓｕｂｓｃｒｉｂｅｒ  Ｉｄｅｎｔｉｔｙ）であってもよい。ランダムアクセスメッセージ３は、ロジカルチャネルにおいてＣＣＣＨにマップされてもよい。ランダムアクセスメッセージ３は、トランスポートチャネルにおいてＵＬ−ＳＣＨにマップされてもよい。
【００７９】
ステップ５１０４は、基地局装置３が端末装置１に対して、衝突解決メッセージ（Ｃｏｎｔｅｎｔｉｏｎ  ｒｅｓｏｌｕｔｉｏｎ  ｍｅｓｓａｇｅ）を送信するステップである。衝突解決メッセージは、ランダムアクセスメッセージ４とも呼称される。端末装置１は、ランダムアクセスメッセージ３送信後に、ランダムアクセスメッセージ４を含むＰＤＳＣＨをスケジューリングするＰＤＣＣＨのモニタリングを行う。ランダムアクセスメッセージ４は、衝突回避用ＩＤが含まれてもよい。ここで、衝突回避用ＩＤは、複数の端末装置１が同一の無線リソースを用いて信号を送信する衝突を解決するために用いられる。衝突回避用ＩＤは、ＵＥ  ｃｏｎｔｅｎｔｉｏｎ  ｒｅｓｏｌｕｔｉｏｎ  ｉｄｅｎｔｉｔｙとも呼称される。ランダムアクセスメッセージ４は、ロジカルチャネルにおいてＣＣＣＨにマップされてもよい。ランダムアクセスメッセージ４は、トランスポートチャネルにおいてＤＬ−ＳＣＨにマップされてもよい。
【００８０】
ステップ５１０４において、端末装置１の識別に用いられるＩＤ（例えば、Ｓ−ＴＭＳＩ）を含むランダムアクセスメッセージ３を送信した該端末装置１は、衝突解決メッセージを含むランダムアクセスメッセージ４をモニタする。該ランダムアクセスメッセージ４に含まれる衝突回避用ＩＤが、該端末装置１の識別に用いられる該ＩＤと等しい場合に、該端末装置１は衝突解決が成功裏に完了したとみなし、Ｃ−ＲＮＴＩフィールドにＴｅｍｐｏｒａｒｙ  Ｃ−ＲＮＴＩの値をセットしてもよい。Ｃ−ＲＮＴＩフィールドにＴｅｍｐｏｒａｒｙ  Ｃ−ＲＮＴＩの値がセットされた端末装置１は、ＲＲＣ接続（または、初期接続手順）が成功裏に完了したとみなされる。
【００８１】
以下、基地局装置３、および／または、端末装置１が備える送信プロセス３０００の説明を行う。
【００８２】
図５は、物理層の送信プロセス３０００の構成の一例を示した図である。送信プロセ
ス（Ｔｒａｎｓｍｉｓｓｉｏｎ  ｐｒｏｃｅｓｓ）３０００は、符号化処理部（ｃｏｄｉｎｇ）３００１、スクランブル処理部（Ｓｃｒａｍｂｌｉｎｇ）３００２、変調マップ処理部（Ｍｏｄｕｌａｔｉｏｎ  ｍａｐｐｅｒ）３００３、レイヤマップ処理部（Ｌａｙｅｒ  ｍａｐｐｅｒ）３００４、送信プレコード処理部（Ｔｒａｎｓｆｏｒｍ  ｐｒｅｃｏｄｅｒ）３００５、プレコード処理部（Ｐｒｅｃｏｄｅｒ）３００６、リソースエレメントマップ処理部（Ｒｅｓｏｕｒｃｅ  ｅｌｅｍｅｎｔ  ｍａｐｐｅｒ）３００７、ベースバンド信号生成処理部（ＯＦＤＭ  ｂａｓｅｂａｎｄ  ｓｉｇｎａｌ  ｇｅｎｅｒａｔｉｏｎ）３００８、の一部または全部を少なくとも含んで構成される。
【００８３】
符号化処理部３００１は、誤り訂正符号化処理により、上位層より送られる（または、通知される、送達される、送信される、渡される等）トランスポートブロック（または、データブロック、トランスポートデータ、送信データ、送信符号、送信ブロック、ペイロード、情報、情報ブロック等）を符号化ビット（ｃｏｄｅｄ  ｂｉｔ）に変換する機能を備えてもよい。誤り訂正符号化は、ターボ（Ｔｕｒｂｏ）符号、ＬＤＰＣ（Ｌｏｗ  Ｄｅｎｓｉｔｙ  Ｐａｒｉｔｙ  Ｃｈｅｃｋ）符号、畳み込み符号（ｃｏｎｖｏｌｕｔｉｏｎａｌ  ｃｏｄｅまたはＴａｉｌ  ｂｉｔｉｎｇ  ｃｏｎｖｏｌｕｔｉｏｎａｌ  ｃｏｄｅ等）、繰り返し符号の一部または全部を少なくとも含む。符号化処理部３００１は、符号化ビットをスクランブル処理部３００２に送る機能を備える。符号化処理部３００１の動作の詳細は後述される。
【００８４】
スクランブル処理部３００２は、スクランブル処理により、符号化ビットをスクランブルビット（ｓｃｒａｍｂｌｅ  ｂｉｔ）に変換する機能を備えてもよい。スクランブルされたビットは、符号化ビットとスクランブル系列に、２を法とする和をとることにより得られてもよい。つまり、スクランブルは、符号化ビットとスクランブル系列に２を法とする和をとることであってもよい。スクランブル系列は、固有な系列（例えばＣ−ＲＮＴＩ）に基づき、擬似ランダム関数により生成される系列であってもよい。
【００８５】
変調マップ処理部３００３は、変調マップ処理によりスクランブルビットを変調後の系列（変調シンボル）に変換する機能を備えてもよい。変調シンボルは、スクランブルビットに対して、ＱＰＳＫ（Ｑｕａｄｅｒａｔｕｒｅ  Ｐｈａｓｅ  Ｓｈｉｆｔ  Ｋｅｙｉｎｇ）、１６ＱＡＭ（Ｑｕａｄｅｒａｔｕｒｅ  Ａｍｐｌｉｔｕｄｅ  Ｍｏｄｕｌａｔｉｏｎ）、６４ＱＡＭ、２５６ＱＡＭ等の変調処理が施されることにより得られてもよい。
【００８６】
レイヤマップ処理部３００４は、変調シンボルを各レイヤにマッピングする機能を備えてもよい。レイヤ（ｌａｙｅｒ）とは、空間領域における物理層信号の多重度に関する指標であってもよい。例えば、レイヤ数が１の場合、空間多重が行われないことを意味している。また、レイヤ数が２の場合、２種類の変調シンボルが空間多重されることを意味している。
【００８７】
例えば、送信プレコード処理部３００５は、各レイヤにマッピングされた変調シンボルに送信プレコード処理を施すことにより送信シンボルを生成する機能を備えてもよい。変調シンボル、および／または、送信シンボルは、複素数値シンボルであってもよい。送信プレコード処理は、ＤＦＴ拡散（ＤＦＴ  ｓｐｒｅａｄ，  ＤＦＴ  ｓｐｒｅａｄｉｎｇ）等による処理を含む。送信プレコード処理部３００５において、上位層の信号に含まれる情報に基づき、送信プレコード処理が施されるか否かが与えられてもよい。送信プレコード処理部３００５において、第１のシステム情報に含まれる情報に少なくとも基づき、送信プレコード処理が施されるか否かが与えられてもよい。送信プレコード処理部３００５において、第１のシステム情報に含まれる情報に少なくとも基づき、ランダムアクセスメッセージ３の送信プレコード処理が施されるか否かが与えられてもよい。送信プレコード処理部３００５において、制御チャネルに含まれる情報に基づき、送信プレコード処
理を施すか否かが与えられてもよい。また、送信プレコード処理部３００５において、あらかじめ設定される情報に基づき、送信プレコード処理を施すか否かが与えられてもよい。
【００８８】
例えば、プレコード処理部３００６は、送信シンボルに対して、プレコーダを乗算することにより、送信アンテナポートごとの送信シンボルを生成する機能を備えてもよい。送信アンテナポートは、論理的なアンテナのポートである。１つの送信アンテナポートは、複数の物理アンテナにより構成されてもよい。論理的なアンテナポートは、プレコーダにより識別されてもよい。
【００８９】
アンテナポートは、あるアンテナポートのあるシンボルが搬送するチャネルが同じアンテナポートの他のシンボルが搬送するチャネルから推定されることができるものと定義される。すなわち、例えば、第１の物理チャネルと第１の参照信号が、同一のアンテナポートのシンボルで搬送（ｃｏｎｖｅｙ）される場合、第１の物理チャネルの伝搬路補償を第１の参照信号によって行うことができる。ここで、同一のアンテナポートとは、アンテナポートの番号（アンテナポートを識別するための番号）が、同一であることであってもよい。ここで、該シンボルは、例えば、ＯＦＤＭシンボルの少なくとも一部であってもよい。また、該シンボルは、リソースエレメントであってもよい。
【００９０】
例えば、リソースエレメントマップ処理部３００７は、送信アンテナポートにマップされた送信シンボルをリソースエレメントにマッピングする処理を行う機能を備えてもよい。リソースエレメントマップ処理部３００７におけるリソースエレメントへのマッピング方法の詳細は後述される。
【００９１】
ベースバンド信号生成処理部３００８は、リソースエレメントにマップされた送信シンボルを、ベースバンド信号に変換する機能を備えてもよい。送信シンボルをベースバンド信号に変換する処理は、例えば、逆フーリエ変換処理（ＩＦＦＴ：  Ｉｎｖｅｒｓｅ  Ｆａｓｔ  Ｆｏｕｒｉｅｒ  Ｔｒａｎｓｆｏｒｍ）や、ウィンドウ処理（Ｗｉｎｄｏｗｉｎｇ）、フィルタリング処理（Ｆｉｌｔｅｒ  ｐｒｏｃｅｓｓｉｎｇ）等を含んでもよい。
【００９２】
以下、符号化処理部３００１の動作の詳細を説明する。
【００９３】
図６は、本実施形態の符号化処理部３００１の構成例を示した図である。符号化処理部３００１は、ＣＲＣ付加（ＣＲＣ  ａｔｔａｃｈｍｅｎｔ）部４００１、分割およびＣＲＣ付加（Ｓｅｇｍｅｎｔａｔｉｏｎ  ａｎｄ  ＣＲＣ）部４０１、符号化（Ｅｎｃｏｄｅｒ）部４００２、サブブロックインターリーバ（Ｓｕｂ−ｂｌｏｃｋ  ｉｎｔｅｒｌｅａｖｅｒ）部４００３、ビット収集（Ｂｉｔ  ｃｏｌｌｅｃｔｉｏｎ）部４００４、ビット選択および切断（Ｂｉｔ  ｓｅｌｅｃｔｉｏｎ  ａｎｄ  ｐｒｕｎｉｎｇ）部４００５、結合（Ｃｏｎｃａｔｅｎａｔｉｏｎ）部４００６の少なくとも１つを含んで構成される。ここで、分割およびＣＲＣ付加部４０１は、コードブロック分割部４０１１と、１つまたは複数のＣＲＣ付加部４０１２の少なくとも１つを含んで構成される。
【００９４】
トランスポートブロックａｋは、ＣＲＣ付加部４００１に入力される。ＣＲＣ付加部４００１は、入力されるトランスポートブロックに基づき、誤り検出用の冗長ビットとして、第１のＣＲＣ系列を生成してもよい。生成された第１のＣＲＣ系列はトランスポートブロックに付加される。第１のＣＲＣ系列が付加されたトランスポートブロックを含む第１の系列ｂｋ０は、ＣＲＣ付加部４００１より出力される。
【００９５】
第１のＣＲＣ系列は、トランスポートブロックに対応するＣＲＣ系列であってもよい。第１のＣＲＣ系列は、トランスポートブロックが成功裏に復号化されたか否かの決定のた
めに用いられてもよい。第１のＣＲＣ系列は、トランスポートブロックのエラー検出のために用いられてもよい。第１の系列ｂｋ０は、第１のＣＲＣ系列が付加されたトランスポートブロックであってもよい。
【００９６】
第１の系列ｂｋ０は、１または複数の第１の系列グループに分割されてもよい。第１の系列グループは、符号ブロックのグループ（ＣＢＧ：Ｃｏｄｅ  Ｂｌｏｃｋ  Ｇｒｏｕｐ）とも呼称される。
【００９７】
図７は、本実施形態の一態様に係る第１の系列ｂｋ０が複数の第１の系列グループｂｋｎ（図７中においては、ｎ＝１〜３）に分割される動作の一例を示す図である。第１の系列グループｂｋｎは、それぞれ等しい長さの系列であってもよいし、異なる長さであってもよい。第１のＣＲＣ系列は、一つの第１の系列グループ（図７においては、第１の系列グループｂｋｎ）のみにマップされてもよい。
【００９８】
図８は、本実施形態の一態様に係る第１の系列ｂｋ０が複数の第１の系列グループｂｋｎ（図８中においては、ｎ＝１〜３）に分割される動作の一例を示す図である。第１の系列ｂｋ０は、第１の規範に基づき並び替え（ｉｎｔｅｒｌｅａｖｅ、インターリーブ）が施され、インターリーブ後の第１の系列ｂｋ０（Ｉｎｔｅｒｌｅａｖｅｄ  ｆｉｒｓｔ  ｓｅｑｕｅｎｃｅ  ｂｋ０）。インターリーブ後の第１の系列ｂｋ０は、複数の第１の系列グループｂｋｎに分割されてもよい。つまり、第１の系列ｂｋ０とインターリーブ後の第１の系列ｂｋ０の順序は異なってもよい。
【００９９】
第１の規範は、疑似ランダム関数（例えば、Ｍ系列、ゴールド系列等）を含んでもよい。第１の規範に基づく並び替えは、第１の並び替えを含んでもよい。第１の規範に基づく並び替えは、第１の規範に基づくビットインターリーブであってもよい。
【０１００】
図９は、本実施形態の一態様に係る第１の並び替えの方法を示す一例である。図９に示されるように系列を２次元のブロックＢにマップしてもよい。ブロックＢは、第１の軸と第２の軸を少なくとも備える。第１の軸は、横軸、または、列（ｃｏｌｕｍｎ）とも呼称される。第２の軸は、縦軸、または、行（ｒｏｗ）とも呼称される。ブロックＢにおいて、第１の軸上の一点および第２の軸上の一点により特定される点（ｅｎｔｒｙ）は系列のマッピングの単位である。系列は、ブロックＢ上において、第１の軸方向にマップされてもよい（図９（ａ）に示される）。系列が第１の軸方向にマップされること（ｗｒｉｔｅ）は、系列が第１の軸を優先してマップされることであってもよい。次いで、ブロックＢにマップされた系列は、第２の軸方向に読み取り（ｒｅａｄ）されてもよい。
【０１０１】
つまり、第１の並び替えは以下の手順を少なくとも含んでもよい。
（ａ）入力された系列は、第１の軸方向にマップされる
（ｂ）該第１の軸方向にマップされた系列は、第２の軸方向にリードされる
第１の系列グループｂｋｎごとに第１の規範に基づく並び替えが施されてもよい。
【０１０２】
第１の系列グループｂｋｎは、第１の系列グループｂｋｎに少なくとも基づき生成される第２のＣＲＣ系列が付加されてもよい。第２のＣＲＣ系列は、第１のＣＲＣ系列と異なる長さであってもよい。第２のＣＲＣ系列と第１のＣＲＣ系列の生成方法は異なってもよい。第２のＣＲＣ系列は、ｎ番目の第１の系列グループｂｋｎが成功裏に復号化されたか否かの決定のために用いられてもよい。該第２のＣＲＣ系列は、ｎ番目の第１の系列グループｂｋｎのエラー検出のために用いられてもよい。該第２のＣＲＣ系列は、ｎ番目の第１の系列グループｂｋｎに付加される第２のＣＲＣ系列であってもよい。第１の系列グループｂｋｎの数がコードブロックの数ＮＣＢと等しい、または、第１の系列グループｂｋｎの数がコードブロックの数ＮＣＢより大きい場合、第１の系列グループｂｋｎそれぞれ
に対して第２のＣＲＣ系列が付加されなくてもよい。第１の系列グループｂｋｎの数がコードブロックの数ＮＣＢより小さい場合、該第１の系列グループｂｋｎそれぞれに対して第２のＣＲＣ系列が付加されてもよい。例えば、第１の系列グループｂｋｎに１つのコードブロックのみが含まれる場合、該第１の系列グループｂｋｎに第２のＣＲＣ系列が付加されなくてもよい。また、第１の系列グループｂｋｎに２つ以上のコードブロックが含まれる場合、該第１の系列グループｂｋｎに第２のＣＲＣ系列が付加されてもよい。トランスポートブロックに対応する第１の系列グループｂｋｎの数が１である場合、該第１の系列グループｂｋｎに第２のＣＲＣ系列が付加されなくてもよい。
【０１０３】
第２の系列ｂｋは、コードブロック分割部４０１１に入力されてもよい。コードブロック分割部４０１１に入力される第２の系列ｂｋは、第１の系列グループｂｋｎごとに入力されてもよい。第１の系列ｂｋ０が第１の系列グループｂｋｎに分割される場合、コードブロック分割部４０１１に入力される第２の系列ｂｋは、ｎ番目（ｎは１以上の整数）の第１の系列グループｂｋｎであってもよい。第１の系列ｂｋ０が第１の系列グループｂｋｎに分割されない場合、コードブロック分割部４０１１に入力される第２の系列ｂｋは、第１の系列ｂｋ０であってもよい。
【０１０４】
図１０は、本実施形態の一態様に係るコードブロック分割部４０１１におけるコードブロック数を算出するための第１の手順の一例を示す図である。Ｂは第２の系列ｂｋのビット数を示す。ＮＣＢは第２の系列ｂｋのコードブロック数を示す。Ｂ’はそれぞれのコードブロックに付加される第３のＣＲＣ系列と第２の系列ｂｋのビット数の合計を示す。Ｌは１つのコードブロックに付加される第３のＣＲＣ系列のビット数を示す。
【０１０５】
第２の系列ｂｋのビット数Ｂが最大コードブロック長Ｚ以下である場合、第３のＣＲＣ系列のビット数Ｌ＝０であり、かつ、コードブロック数ＮＣＢ＝１であり、Ｂ’＝Ｂである。一方、第２の系列ｂｋのビット数Ｂが最大コードブロック長Ｚより大きい場合、Ｌ＝２４であり、コードブロック数ＮＣＢ＝ｆｌｏｏｒ（Ｂ／（Ｚ−Ｌ））で与えられてもよい。ここで、ｆｌｏｏｒ（＊）は、＊を下回らない条件の下で最小の整数を出力する関数である。ｆｌｏｏｒ（＊）は、天井関数とも呼称される。
【０１０６】
第２の系列ｂｋのビット数Ｂは、第１の系列ａｋのビット数Ａと、第１のＣＲＣビットｐｋのビット数Ｐの和により与えられてもよい。つまり、第２の系列ｂｋのビット数Ｂ＝Ａ＋Ｐで与えられてもよい。
【０１０７】
第２の系列ｂｋのビット数Ｂは、第２のＣＲＣ系列のビット数を含んでもよい。
【０１０８】
最大コードブロック長Ｚは、６１４４であってもよいし、８１９２であってもよい。最大コードブロック長Ｚは、上記以外の値であってもよい。最大コードブロック長Ｚは、符号化手順に用いられる誤り訂正符号化の方式に少なくとも基づき与えられてもよい。例えば、最大コードブロック長Ｚは、符号化手順にターボ符号が用いられる場合に６１４４であってもよい。例えば、最大コードブロック長Ｚは、符号化手順にＬＤＰＣ（Ｌｏｗ  Ｄｅｎｓｉｔｙ  Ｐａｒｉｔｙ  Ｃｈｅｃｋ）符号が用いられる場合に８１９２であってもよい。ＬＤＰＣ符号は、ＱＣ−ＬＤＰＣ（Ｑｕａｓｉ−Ｃｙｃｌｉｃ  ＬＤＰＣ）符号であってもよい。ＬＤＰＣ符号は、ＬＤＰＣ−ＣＣ（ＬＤＰＣ−Ｃｏｎｖｏｌｕｔｉｏｎａｌ  ｃｏｄｅｓ）符号化であってもよい。
【０１０９】
コードブロック分割部４０１１は、算出されるコードブロック数ＮＣＢに少なくとも基づき、第２の系列ｂｋをＮＣＢ個のコードブロックＣｒｋに分割する。ここで、ｒはコードブロックのインデックスを示す。コードブロックのインデックスｒは０からＮＣＢ−１の範囲に含まれる整数値により与えられる。
【０１１０】
コードブロック分割部４０１１によるコードブロック分割処理により、第１のコードブロックサイズを備える第１のコードブロックと、第２のコードブロックサイズを備える第２のコードブロックが少なくとも与えられてもよい。
【０１１１】
第２のＣＲＣ付加部４０１２は、コードブロックごとに第３のＣＲＣ系列を付加する機能を備えてもよい。例えば、コードブロック数ＮＣＢ＝１である場合、コードブロックに対して第３のＣＲＣ系列は付加されなくてもよい。これは、コードブロック数ＮＣＢ＝１である場合にＬ＝０であることに対応する。一方、コードブロック数ＮＣＢが１より大きい場合、コードブロックのそれぞれに対してビット数Ｌの第３のＣＲＣ系列が付加されてもよい。コードブロック数ＮＣＢが１より大きいことは、第２の系列ｂｋが複数のコードブロックに分割されることに対応する。第２のＣＲＣ付加部４０１２の出力は、コードブロックｃｒｋと呼称される。コードブロックｃｒｋは、ｒ番目のコードブロックである。
【０１１２】
１または複数のコードブロックにより、符号ブロックのグループ（ＣＢＧ）が構成されてもよい。ＮＣＢ個のコードブロックは、ＮＣＢＧ個のＣＢＧに分割されてもよい。ＮＣＢＧはトランスポートブロックに含まれるＣＢＧの数である。例えば、トランスポートブロックに含まれるＣＢＧの数ＮＣＢＧは上位層の信号、および／または、仕様書の記載等に基づき与えられ、１つのＣＢＧにおけるコードブロックの数ＮＣＢ  ｐｅｒ  ＣＢＧはトランスポートブロックサイズに少なくとも基づき与えられてもよい。また、１つのＣＢＧにおけるコードブロックの数ＮＣＢ  ｐｅｒ  ＣＢＧは上位層の信号、および／または、仕様書の記載等に基づき与えられ、トランスポートブロックに含まれるＣＢＧの数ＮＣＢＧはトランスポートブロックサイズに少なくとも基づき与えられてもよい。また、１つのＣＢＧにおけるコードブロックの数ＮＣＢ  ｐｅｒ  ＣＢＧおよびトランスポートブロックに含まれるＣＢＧの数ＮＣＢＧはＴＢＳに少なくとも基づき与えられてもよい。ＴＢＳ（Ｔｒａｎｓｐｏｒｔ  Ｂｌｏｃｋ  Ｓｉｚｅ）はトランスポートブロックサイズである。
【０１１３】
トランスポートブロックは、第１のＣＢＧと第２のＣＢＧを少なくとも含んでもよい。第１のＣＢＧはＮＣＢ  ｐｅｒ  ＣＢＧ個のコードブロックを含んで構成されるＣＢＧであってもよい。第２のＣＢＧは、第１のＣＢＧに含まれるコードブロック数より少ないコードブロックを含んで構成されるＣＢＧであってもよい。第２のＣＢＧはＮＣＢ  ｐｅｒ
ＣＢＧ−１個のコードブロックを含んで構成されるＣＢＧであってもよい。
【０１１４】
以下、第１のコードブロックサイズが第２のコードブロックサイズよりも大きいことを仮定し、ＣＢＧの構成方法を説明する。
【０１１５】
図１１は、本実施形態の一態様に係るＣＢＧの構成例を示した図である。図１１において、白塗りのブロックは第１のコードブロックを示し、黒塗りのブロックは第２のコードブロックを示す。図１１において、ＣＢＧの数は４に設定され、各ＣＢＧに３つまたは２つのコードブロックが含まれる。つまり、図１１において、ＣＢＧ＃１、ＣＢＧ＃２、および、ＣＢＧ＃３は第１のＣＢＧに含まれる。また、図１１において、ＣＢＧ＃４は第２のＣＢＧに含まれる。図１１（ａ）に示される一例では、第１のＣＢＧに第１のコードブロックが多く含まれ、第２のＣＢＧに第２のコードブロックのみが含まれる。このような場合、例えば、ＣＢＧ＃１とＣＢＧ＃４に含まれるビット数の差が大きくなり、特にＣＢＧ＃４が無線チャネルに特有のバースト誤りへの耐性が劣化する問題が生ずる。
【０１１６】
図１１（ｂ）において、ＣＢＧ＃１に第２のコードブロックのみが含まれ、ＣＢＧ＃２〜４に第１のコードブロックが含まれる。これにより、第１のＣＢＧと第２のＣＢＧに含まれるビット数の差を低減することが可能である。
【０１１７】
図１１（ｃ）において、ＣＢＧ＃１〜３に第１のコードブロックと第２のコードブロックが含まれ、ＣＢＧ＃４に第１のコードブロックが含まれる。これにより、第１のＣＢＧと第２のＣＢＧに含まれるビット数の差を低減することが可能である。
【０１１８】
第２の系列ｂｋは１または複数の第１のコードブロックと１または複数の第２のコードブロックを少なくとも含んでもよい。第１のコードブロックのコードブロックサイズは、第２のコードブロックのコードブロックサイズよりも大きくてもよい。１または複数の第１のコードブロックと１または複数の第２のコードブロックはそれぞれ、複数のＣＢＧのいずれかに含まれてもよい。
【０１１９】
１または複数の第１のコードブロックと１または複数の第２のコードブロックはそれぞれ、複数のＣＢＧのいずれかにマップされてもよい。複数のＣＢＧは、第１のＣＢＧと第２のＣＢＧを含んでもよい。第１のＣＢＧに含まれるコードブロックの数は第２のコードブロックに含まれるコードブロックの数より多くてもよい。例えば、第１のＣＢＧに含まれるコードブロックの数はＮＣＢ  ｐｅｒ  ＣＢＧであってもよい。第２のＣＢＧに含まれるコードブロックの数はＮＣＢ  ｐｅｒ  ＣＢＧ−１であってもよい。つまり、第１のＣＢＧに含まれるコードブロックの数と第２のＣＢＧに含まれるコードブロックの数の差はたかだか１であってもよい。
【０１２０】
１または複数の第１のＣＢＧのそれぞれに含まれる第１のコードブロックの数と第２のコードブロックの数の第１の合計数は、１または複数の第２のＣＢＧのそれぞれに含まれる第１のコードブロックの数と第２のコードブロックの数の第２の合計数よりも大きくてもよい。最も多く第２のコードブロックを含むＣＢＧは、１または複数の第１のＣＢＧのいずれかであってもよい。
【０１２１】
最も少なく第２のコードブロックを含むＣＢＧは、１または複数の第２のＣＢＧのいずれかであってもよい。
【０１２２】
１または複数の第２のＣＢＧに含まれる第１のコードブロックの数の合計値は、１または複数の第１のＣＢＧに含まれる第１のコードブロックの数の合計値より大きくてもよい。
【０１２３】
１または複数の第１のＣＢＧに含まれる第２のコードブロックの数の合計値は、１または複数の第２のＣＢＧに含まれる第２のコードブロックの数の合計値より大きくてもよい。
【０１２４】
１または複数の第２のＣＢＧに含まれる第１のコードブロックの数の合計値を第２のＣＢＧの数で割った値は、１または複数の第１のＣＢＧに含まれる第１のコードブロックの数の合計値を第１のＣＢＧの数で割った値より大きくてもよい。
【０１２５】
１または複数の第１のＣＢＧに含まれる第２のコードブロックの数の合計値を第１のＣＢＧの数で割った値は、１または複数の第２のＣＢＧに含まれる第２のコードブロックの数の合計値を第２のＣＢＧの数で割った値より大きくてもよい。
【０１２６】
図１２は、本実施形態の一態様に係るＣＢＧの構成例を示した図である。図１２において、第２のコードブロックのインデックスは＃１〜３であり、第１のコードブロックのインデックスは＃４〜１１である。つまり、図１２において、第２のコードブロックのインデックスは第１のコードブロックのインデックスより小さくなるよう、コードブロックのインデックスが付されている。つまり、第２のコードブロックのインデックスは、第１の
コードブロックのインデックスより小さくてもよい。
【０１２７】
第１のＣＢＧに付されるインデックスは、第２のＣＢＧに付されるインデックスより小さくてもよい。
【０１２８】
図１２（ａ）において、ＣＢＧ＃４に含まれるコードブロックのインデックスは、ＣＢＧ＃１〜３に含まれるコードブロックのインデックスより小さい。図１２（ａ）において、例えば、ＣＢＧ＃１とＣＢＧ＃４に含まれるビット数の差が大きくなり、特にＣＢＧ＃４が無線チャネルに特有のバースト誤りへの耐性が劣化する問題が生ずる。
【０１２９】
図１２（ｂ）において、ＣＢＧ＃１〜３に含まれるコードブロックのインデックスは、ＣＢＧ＃４に含まれるコードブロックのインデックスより小さい。これにより、第１のＣＢＧと第２のＣＢＧに含まれるビット数の差を低減することが可能である。
【０１３０】
図１２（ｃ）において、ＣＢＧ＃１〜３に含まれるコードブロックのインデックスの最小値は、ＣＢＧ＃４に含まれるコードブロックのインデックスの最小値より小さい。これにより、第１のＣＢＧと第２のＣＢＧに含まれるビット数の差を低減することが可能である。
【０１３１】
第１のＣＢＧに付されるインデックスが第２のＣＢＧに付されるインデックスより小さく、かつ、第２のコードブロックのインデックスが第１のコードブロックのインデックスより小さい場合、第１のＣＢＧに含まれるコードブロックのインデックスは第２のＣＢＧに含まれるコードブロックのインデックスより小さくてもよい。
【０１３２】
第１のＣＢＧに付されるインデックスが第２のＣＢＧに付されるインデックスより小さく、かつ、第２のコードブロックのインデックスが第１のコードブロックのインデックスより小さい場合、第１のＣＢＧに含まれるコードブロックのインデックスの最小値は第２のＣＢＧに含まれるコードブロックのインデックスの最小値より小さくてもよい。
【０１３３】
第１のＣＢＧに付されるインデックスが第２のＣＢＧに付されるインデックスより大きく、かつ、第２のコードブロックのインデックスが第１のコードブロックのインデックスより大きい場合、第１のＣＢＧに含まれるコードブロックのインデックスは第２のＣＢＧに含まれるコードブロックのインデックスより大きくてもよい。
【０１３４】
第１のＣＢＧに付されるインデックスが第２のＣＢＧに付されるインデックスより大きく、かつ、第２のコードブロックのインデックスが第１のコードブロックのインデックスより大きい場合、第１のＣＢＧに含まれるコードブロックのインデックスの最大値は第２のＣＢＧに含まれるコードブロックのインデックスの最大値より大きくてもよい。
【０１３５】
ＣＢＧに対して、第２のＣＲＣ系列が付加されてもよい。第２のＣＲＣ系列は該第２のＣＲＣ系列に含まれるビット系列に少なくとも基づき与えられてもよい。ＣＢＧの数ＮＣＢＧとコードブロックの数ＮＣＢが等しい、または、ＣＢＧの数ＮＣＢＧがコードブロックの数ＮＣＢより大きい場合に、該ＣＢＧに対して第２のＣＲＣ系列が付加されなくてもよい。ＣＢＧの数ＮＣＢＧがコードブロックの数ＮＣＢより小さい場合に、該ＣＢＧに対して第２のＣＲＣ系列が付加されてもよい。例えば、１つのＣＢＧに含まれるコードブロックの数ＮＣＢ  ｐｅｒ  ＣＢＧが１である場合、該ＣＢＧに第２のＣＲＣ系列が付加されなくてもよい。また、１つのＣＢＧに含まれるコードブロックの数ＮＣＢ  ｐｅｒ  ＣＢＧが２以上である場合、該ＣＢＧに第２のＣＲＣ系列が付加されてもよい。ＣＢＧの数ＮＣＢＧが１である場合、該ＣＢＧに第２のＣＲＣ系列が付加されなくてもよい。
【０１３６】
ＣＢＧごとに第１の規範に基づく並び替えが行われてもよい。
【０１３７】
符号化部４００２は、所与のコードブロックｃｋに対して誤り訂正符号化を施す機能を備える。所与のコードブロックｃｋは、ｒ番目のコードブロックｃｒｋが入力される。符号化部４００２は、コードブロックｃｋに対して誤り訂正符号化を施し、符号化ビット系列（Ｃｏｄｅｄ  ｂｉｔ  ｓｅｑｕｅｎｃｅ）を出力する。誤り訂正符号化方式としてターボ符号が用いられる場合、符号化ビット系列はｄｋ（０）、ｄｋ（１）、ｄｋ（２）である。ここで、ｄｋ（０）は、組織ビット（ｓｙｓｔｅｍａｔｉｃ  ｂｉｔ）とも呼称される。ｄｋ（１）およびｄｋ（２）は、パリティビット（ｐａｒｉｔｙ  ｂｉｔ）とも呼称される。
【０１３８】
符号化ビット系列は、１または複数の系列より構成されてもよい。符号化ビット系列を構成する系列の数は、Ｎｓｅｑとも呼称される。誤り訂正符号化方式としてターボ符号が用いられる場合、符号化ビット系列は３つの系列（ｄｋ（０）、ｄｋ（１）、ｄｋ（２））より構成されてもよい。つまり、誤り訂正符号化方式としてターボ符号が用いられる場合、Ｎｓｅｑ＝３であってもよい。誤り訂正符号化方式としてＬＤＰＣ符号が用いられる場合、符号化ビット系列は２つの系列（ｄｋ（０）、ｄｋ（１））より構成されてもよい。つまり、誤り訂正符号化方式としてＬＤＰＣ符号が用いられる場合、Ｎｓｅｑ＝２であってもよい。誤り訂正符号化方式としてＬＤＰＣ符号が用いられる場合、Ｎｓｅｑは２以外の値であってもよい。例えば、誤り訂正符号化方式としてＬＤＰＣ符号が用いられる場合、Ｎｓｅｑは１であってもよい。
【０１３９】
符号化部４００２より出力される符号化ビット系列は、サブブロックインターリーバ部４００３またはビット収集部４００４に入力される。符号化部４００２より出力される符号化ビット系列がサブブロックインターリーバ部４００３に入力されるか否かは、適用される誤り訂正符号化方式に少なくとも基づき与えられてもよい。
【０１４０】
サブブロックインターリーバ部４００３は、入力された符号化ビット系列の並び替え（ｓｏｒｔ、ｉｎｔｅｒｌｅａｖｅ）により、再配置ビット系列ｖｋ（ｎ）を出力する。ｎは０からＮｓｅｑ−１の範囲に含まれる整数である。サブブロックインターリーバ部４００３による符号化ビットの並び替えは、第１の並び替えに基づく。サブブロックインターリーバの列（第１の軸）の要素の数Ｃｓｕｂｂｌｏｃｋは３２である。サブブロックインターリーバの行（第２の軸）の要素の数Ｒｓｕｂｂｌｏｃｋは、以下の数式（１）を満たす最も小さい整数であってもよい。ここで、Ｄは系列ｄｋ（ｎ）のそれぞれのビット数である。
【０１４１】
【数１】
2019004245.tif 000003
【０１４２】
サブブロックインターリーバ部４００３の出力である再配置ビット系列ｖｋ（ｎ）のそれぞれのビット数ＫΠは、以下の数式（２）によって与えられてもよい。
【０１４３】
【数２】
2019004245.tif 000004
【０１４４】
例えば、サブブロックインターリーバ部４００３は、入力される符号化ビット系列に基づき、第１の順列処理が適用されるか否かが与えられてもよい。例えば、入力される符号化ビット系列ｄｋ（０）またはｄｋ（１）に対して、第１の順列処理が適用されなくてもよい。一方、入力される符号化ビット系列ｄｋ（２）に対して、第１の順列処理が適用されてもよい。
【０１４５】
第１の順列処理は、列方向の並び替え（ｉｎｔｅｒ−ｃｏｌｕｍｎ  ｐｅｒｍｕｔａｔｉｏｎ）であってもよい。サブブロックインターリーバ部４００３において適用される第１の順列処理のために用いられる第１のパターンＰはＰ＝［０、１６、８、２４、４、２０、１２、２８、２、１８、１０、２６、６、２２、１４、３０、１、１７、９、２５、５、２１、１３、２９、３、１９、１１、２７、７、２３、１５、３１］であってもよい。
【０１４６】
符号化ビット系列がビット収集部４００４に入力される場合、再配置ビットｖｋ（ｎ）＝ｄｋ（ｎ）であってもよい。
【０１４７】
ビット収集部４００４は、再配置ビット系列ｖｋ（ｎ）を並び替えること（再配置）に基づき、仮想巡回バッファ（Ｖｉｒｔｕａｌ  ｃｉｒｃｕｌａｒ  ｂｕｆｆｅｒ）を生成する。例えば、仮想巡回バッファｗｋは、ｗｋ＝ｖｋ（０）、ｗＫΠ＋２ｋ＝ｖｋ（１）、ｗＫΠ＋２ｋ＋１＝ｖｋ（２）に基づき生成されてもよい。ここで、ＫΠは、ｖｋ（０）のビット数である。ターボ符号において、Ｋｗは、Ｋｗ＝３ＫΠで示される値である。ビット収集部４００４は、仮想巡回バッファｗｋを出力する。
【０１４８】
仮想巡回バッファｗｋは、Ｎｓｅｑ個の再配置ビット系列ｖｋ（ｎ）を所定の手順に基づき並び替えることにより生成されてもよい。仮想巡回バッファｗｋは、ビット選択および切断部４００５に入力される。
【０１４９】
ビット選択および切断部４００５は、仮想巡回バッファｗｋに対してレートマッチ操作を施し、レートマッチ系列ｅｋを生成する。図１４は、本実施形態の一態様に係るビット選択および切断部４００５のレートマッチ操作の一例を示す図である。仮想巡回バッファｗｋからレートマッチ系列ｅｋが得られる。レートマッチ系列ｅｋのビット数はＥである。レートマッチ系列ｅｋのビット数Ｅは、トランスポートブロック（または、ＣＢＧ）のためのリソース割り当て情報等に少なくとも基づき与えられる。図１４のｒｖｉｄｘは、対応するトランスポートブロックの送信に対するＲＶ（ｒｅｄｕｎｄａｎｃｙ  ｖｅｒｓｉｏｎ）番号である。ＲＶ番号は、下りリンク制御情報に含まれる情報によって示されてもよい。ＲＶ番号は、上位層の信号に少なくとも基づき設定されてもよい。Ｎｃｂはコードブロックあたりのソフトバッファサイズであり、ビット数によって表現されてもよい。Ｎｃｂは、以下の数式（３）によって与えられてもよい。
【０１５０】
【数３】
2019004245.tif 000005
【０１５１】
ここで、ＮＩＲは、入力ビット系列ａｋあたりのソフトバッファサイズに関連する値であり、ビットの数によって表現される。ＮＩＲは、以下の数式（４）によって与えられてもよい。
【０１５２】
【数４】
2019004245.tif 000006
【０１５３】
図１３は、本実施形態の一態様に係る物理チャネルにマップされるビット系列がＲＶ番号に基づき与えられる動作例を示す概略図である。図１３において、斜線で示されるブロックは、組織ビットｄｋ（０）がマップされる領域である。図１３において、格子線で示されるブロックは、パリティビットｄｋ（１）がマップされる領域である。図１３において、横線で示されるブロックは、パリティビットｄｋ（２）がマップされる領域である。図１３に示される組織ビットとパリティビットで構成される領域は、仮想巡回バッファである。図１３において、仮想巡回バッファは、縦方向に読み取りが行われる。
【０１５４】
レートマッチ系列ｅｋは、仮想巡回バッファｗｋおよびＲＶ番号に少なくとも基づき与えられてもよい。レートマッチ系列ｅｋの開始位置は、ＲＶ番号に少なくとも基づき与えられてもよい。
【０１５５】
ＫＭＩＭＯは、端末装置１が設定されている送信モードに基づいて受信される１つの共有チャネル送信が含むことができるトランスポートブロックの最大数と同じであってもよい。ＫＭＩＭＯは、所定の送信方法において、所定の期間に受信可能なトランスポートブロックの最大数に関連してもよい。
【０１５６】
ここで、ＭＤＬ＿ＨＡＲＱは、下りリンクＨＡＲＱプロセスの最大数であってもよい。ＭＤＬ＿ＨＡＲＱは、対応する１つのサービングセルにおいて並行して管理される下りリンクＨＡＲＱプロセスの最大数であってもよい。ＭＤＬ＿ＨＡＲＱは、上位層の信号に少なくとも基づき与えられてもよい。ＦＤＤサービングセルに対して、ＭＤＬ＿ＨＡＲＱは８であってもよい。ＴＤＤサービングセルに対して、ＭＤＬ＿ＨＡＲＱは上りリンク／下りリンク設定（ＵＬ／ＤＬ  ｃｏｎｆｉｇｕｒａｔｉｏｎ）に対応してもよい。ここで、Ｍｌｉｍｉｔは８である。上りリンク／下りリンク設定は、ＴＤＤにおいて用いられ、無線フレームにおける下りリンクサブフレームと上りリンクサブフレームのマッピングを示す。
【０１５７】
ここで、Ｋｃは、｛１、３／２、２、８／３、３、および、５｝のうちの何れか１つであってもよいし、その他の値であってもよい。
【０１５８】
ここで、Ｎｓｏｆｔは、ＵＥカテゴリ、または、下りリンクＵＥカテゴリに応じたソフトチャネルビットの総数であってもよい。ここで、ソフトチャネルビットは、ソフトビットとも呼称される。ソフトビットは、誤り訂正復号後に算出されるビットのためのＬＬＲ（Ｌｏｇ  Ｌｉｋｅｌｉｈｏｏｄ  Ｒａｔｉｏ）等に基づき与えられる情報であってもよい。例えば、ソフトビットは、ＬＬＲに少なくとも基づき与えられる量であってもよい。ソフトビットは、ＬＬＲに関連する値であってもよい。
【０１５９】
ビット選択および切断部４００５より生成されるｒ番目のコードブロックに対応するレートマッチ系列ｅｋは、レートマッチ系列ｅｒｋとも呼称される。ＮＣＢ個のレートマッチ系列ｅｒｋが結合されることにより、符号化出力系列ｆｋ，ｎが生成されてもよい。複数のＣＢＧに対応するｆｋ，ｎが結合され、符号化出力系列ｆｋが生成されてもよい。
【０１６０】
符号化出力系列ｆｋ，ｎに対して、第１の規範に基づき並び替えが行われることにより並び替え後の符号化出力系列ｆｋ，ｎが与えられてもよい。複数のＣＢＧに対応する該符
号化出力系列ｆｋ，ｎが結合され、符号化出力系列ｆｋが生成されてもよい。
【０１６１】
ＮＣＢ  ｐｅｒ  ＣＢＧ個のレートマッチ系列ｅｒｋが結合されることにより、符号化出力系列ｆｋが生成されてもよい。
【０１６２】
符号化出力系列ｆｋは、第２の並び替えが適用されてもよい。第２の並び替えは以下の手順を少なくとも含んでもよい。
（ａ）入力された系列は、第１の軸方向にマップされる
（ｂ）該第１の軸方向にマップされた系列は、第２の軸方向にマップされる
第２の並び替えにおいて入力される系列は、トランスポートブロックに対応する変調方式の変調次数、および、トランスポートブロックの送信レイヤ数の一方または両方に少なくとも基づき与えられる系列であってもよい。第２の並び替えにおいて入力される系列のそれぞれの要素（符号化変調シンボル）の数は、トランスポートブロックに対応する変調方式の変調次数とトランスポートブロックの送信レイヤ数の積により与えられてもよい。符号化変調シンボルは、符号化出力系列ｆｋの一部を含むグループである。符号化出力系列ｆｋの一部を含むグループそれぞれが変調されることによって１つの変調シンボルが生成される。１つのトランスポートブロックが１レイヤにマップされる場合、１つの符号化変調シンボルは、トランスポートブロックに対する変調方式の変調次数と同じ数の符号化出力系列ｆｋを含んでもよい。１つのトランスポートブロックが２レイヤにマップされる場合、１つの符号化変調シンボルは、それぞれのトランスポートブロックに対する変調方式の変調次数Ｑｍに２を乗算した数と同じ数の符号化出力系列ｆｋを含んでもよい。
【０１６３】
第２の並び替えにおいて出力される系列は、出力系列ｈｋとも呼称される。符号化出力系列ｆｋに対して第２の並び替えが適用されない場合、出力系列ｈｋは符号化出力系列ｆｋより構成されてもよい。
【０１６４】
以下、リソースエレメントマップ処理部３００７の動作詳細を説明する。
【０１６５】
リソースエレメントマップ処理部３００７は、送信シンボルをリソースエレメントにマップする処理を行う。リソースエレメントマップ処理部３００７において、送信シンボルは第１のマップ処理または第２のマップ処理が適用されてもよい。第１のマップ処理は、送信シンボルが第１の軸方向にマップされることであってもよい。第２のマップ処理は、送信シンボルが第２の軸方向にマップされることであってもよい。
【０１６６】
第１の軸は周波数軸（サブキャリアインデックス）に対応してもよい。第２の軸は時間軸（ＯＦＤＭシンボルインデックス）に対応してもよい。つまり、第１のマップ処理はＦｒｅｑｕｅｎｃｙ  ｆｉｒｓｔ  ｍａｐｐｉｎｇとも呼称される。また、第２のマップ処理はＴｉｍｅ  ｆｉｒｓｔ  ｍａｐｐｉｎｇとも呼称される。
【０１６７】
第１のマップ処理、および／または、第２のマップ処理は、さらに第２の順列処理を含んでもよい。第２の順列処理は、列方向の並び替えであってもよい。第２の順列処理は、周波数方向の並び替えであってもよい。第２の順列処理は、時間方向の並び替えであってもよい。
【０１６８】
以下、ＭＡＣ層のＨＡＲＱ手順について説明を行う。ＭＡＣ層のＨＡＲＱ手順の一例として、下りリンク送信の場合を例にとり説明を行うが、ＭＡＣ層のＨＡＲＱ手順の一部または全部は下りリンク送信に適用されてもよい。
【０１６９】
ＭＡＣエンティティは、少なくとも１つのＨＡＲＱエンティティが定義されてもよい。ＭＡＣエンティティは、１または複数のＨＡＲＱエンティティを管理する主体（エンティ
ティ）であってもよい。ＭＡＣエンティティは、ＭＡＣ層の処理を管理する主体であってもよい。ＨＡＲＱエンティティは、１または複数のＨＡＲＱプロセスを管理する主体（エンティティ）である。それぞれのＨＡＲＱプロセスは、ＨＡＲＱプロセス番号に関連してもよい。ＨＡＲＱプロセス番号は、ＨＡＲＱプロセスのための識別子であってもよい。ＨＡＲＱエンティティは、ＨＡＲＱ情報（ＨＡＲＱ  ｉｎｆｏｒｍａｔｉｏｎ）をＨＡＲＱプロセスに出力することができる。例えば、ＨＡＲＱエンティティは、所定のＨＡＲＱプロセス番号に対応するＨＡＲＱ情報を、所定のＨＡＲＱプロセス番号に関連するＨＡＲＱプロセスに出力することができる。ＨＡＲＱ情報は、ＮＤＩ、ＴＢＳ、ＨＡＲＱプロセス番号、ＲＶの一部または全部を少なくとも含む。
【０１７０】
下りリンクの送信方法として空間多重方式が設定される場合、１または２つのトランスポートブロックの入力がＴＴＩ（Ｔｒａｎｓｍｉｓｓｉｏｎ  Ｔｉｍｅ  Ｉｎｔｅｒｖａｌ）ごとに期待されてもよい。下りリンクの送信方法として、空間多重方式が設定されない場合、１つのトランスポートブロックの入力がＴＴＩごとに期待されてもよい。
【０１７１】
ＴＴＩは、トランスポートブロックがマップされる単位であってもよい。ＴＴＩは、少なくともスロット、および／または、サブフレームに含まれるＯＦＤＭシンボルの数に基づき与えられてもよい。ＴＴＩは、下りリンクのスロットに適用されるサブキャリア間隔に少なくとも基づき与えられてもよい。ＴＴＩごとにＨＡＲＱプロセスが設定されてもよい。
【０１７２】
少なくとも所定のＴＴＩにおいて下りリンク割り当てが指示された場合、ＭＡＣエンティティは、ＨＡＲＱ情報に基づき、物理層から渡されたトランスポートブロックと該トランスポートブロックに関連する該ＨＡＲＱ情報を該トランスポートブロックに関連するＨＡＲＱプロセスに割り当てる。
【０１７３】
所定のＨＡＲＱプロセスに関連する送信が発生するＴＴＩごとに、１または２つのトランスポートブロックと該トランスポートブロックに関連するＨＡＲＱ情報がＨＡＲＱエンティティより渡される。
【０１７４】
ＨＡＲＱエンティティより渡されるトランスポートブロックと該トランスポートブロックに関連するＨＡＲＱ情報ごとに、ＨＡＲＱプロセスは条件１が少なくとも満たされた場合に該トランスポートブロックの送信が初期送信（ｎｅｗ  ｔｒａｎｓｍｉｓｓｉｏｎ）であると想定する。
【０１７５】
条件１は、新データ指標が直前の送信に対してトグルしている（切り替わっている）ことである。該新データ指標は、該ＨＡＲＱ情報に含まれてもよい。該直前の送信は、該トランスポートブロックに対応する送信、および／または、第２のトランスポートブロックの送信であってもよい。該第２のトランスポートブロックは、直前に送信されたトランスポートブロックであってもよい。該第２のトランスポートブロックは、該トランスポートブロックに関連するＨＡＲＱプロセスのソフトバッファにストア（保存）されたソフトビットに対応するトランスポートブロックであってもよい。該トランスポートブロックに関連するＨＡＲＱプロセス番号と、該第２のトランスポートブロックに関連するＨＡＲＱプロセス番号は関連してもよい。該トランスポートブロックに関連するＨＡＲＱプロセス番号と、該第２のトランスポートブロックに関連するＨＡＲＱプロセス番号は同一であってもよい。
【０１７６】
条件１が少なくとも満たされない、および／または、所定の条件が満たされる場合に、該トランスポートブロックの送信が再送信であると想定する。
【０１７７】
該トランスポートブロックの送信が初期送信である場合、ＭＡＣエンティティは受信データの復号を試みてもよい。該受信データは、該トランスポートブロックを含む受信データであってもよい。該トランスポートブロックの送信が再送信であり、かつ、該第２のトランスポートブロックの復号が成功裏に実施されなかった場合、ＭＡＣエンティティは該受信データと該第２のトランスポートブロックに対応する該ソフトビットを結合（ｃｏｍｂｉｎｅ）し第３のトランスポートブロックを生成し、該第３のトランスポートブロックの復号を試みてもよい。
【０１７８】
条件２が満たされた場合、ＭＡＣエンティティは該トランスポートブロックに対してＡＣＫを生成してもよい。条件２は、条件２Ａおよび条件２Ｂの少なくとも一方が満たされることであってもよい。条件２Ａは、ＭＡＣエンティティにおいて試みられた該トランスポートブロックのための復号が成功裏に実施されたことであってもよい。条件２Ｂは、該トランスポートブロックのための復号が以前に成功裏に完了していることであってもよい。
【０１７９】
条件２が満たされない場合、ＭＡＣエンティティは該ソフトバッファにストアされたデータをＭＡＣエンティティが復号を試みたデータに置き換えてもよい。条件２が満たされない場合、ＭＡＣエンティティは該ソフトバッファにストアされた該ソフトビットを該トランスポートブロックの復号に基づき生成されるソフトビットに置き換えてもよい。条件２が満たされない場合、該トランスポートブロックに対してＮＡＣＫを生成してもよい。
【０１８０】
該ソフトバッファにストアされたデータをＭＡＣエンティティが復号を試みたデータに置き換えることは、該ソフトバッファにストアされたデータがフラッシュされる（流される）ことに対応する。該ソフトバッファにストアされた該ソフトビットを該トランスポートブロックの復号に基づき生成されるソフトビットに置き換えることは、該ソフトバッファにストアされたデータがフラッシュされることに対応する。
【０１８１】
ＭＡＣエンティティにおいて、該ソフトバッファがフラッシュされることは、該ソフトバッファに含まれるトランスポートブロックの全てのビットのためのソフトビットがフラッシュされることに対応してもよい。
【０１８２】
以下、物理層の下りリンクのＨＡＲＱ手順について説明を行う。
【０１８３】
送信プロセス３０００において動作１が実施される場合、下りリンク制御情報にソフトビットの処理方法を指示する情報が含まれてもよい。端末装置１は、該下りリンク制御情報の受信に基づき、ＣＢＧに対応するストアされたソフトビットの処理方法を切り替えてもよい。
【０１８４】
トランスポートブロックのためのＰＤＳＣＨ、および／または、ＰＵＳＣＨをスケジューリングする下りリンク制御情報は、該トランスポートブロックのためのＲＶ番号を指示する情報を含んでもよい。該ＲＶ番号を指示する情報は、該トランスポートブロックに用いられるＲＶ番号であってもよい。
【０１８５】
トランスポートブロックのためのＰＤＳＣＨ、および／または、ＰＵＳＣＨをスケジューリングする下りリンク制御情報は、該トランスポートブロックに含まれる１または複数のＣＢＧそれぞれのためのＲＶ番号を指示する情報が含まれなくてもよい。
【０１８６】
送信プロセス３０００において動作１が実施される場合、ＲＶ番号の設定はＣＢＧごとに与えられもよい。送信プロセス３０００において動作１が実施される場合、所定のＣＢＧに用いられるＲＶ番号はトランスポートブロックのためのＲＶ番号と異なってもよい。
該所定のＣＢＧは該トランスポートブロックに含まれてもよい。該トランスポートブロックのためのＲＶ番号は、該トランスポートブロックのためのＰＤＳＣＨ、および／または、ＰＵＳＣＨをスケジューリングする下りリンク制御情報により指示されてもよい。該トランスポートブロックのためのＲＶ番号は、該下りリンク制御情報のＲＶフィールドに含まれてもよい。該トランスポートブロックのためのＲＶ番号は、上位層（ＭＡＣエンティティ）に渡される（ｄｅｌｉｖｅｒ）ＲＶ番号であってもよい。該トランスポートブロックのためのＲＶ番号はＭＡＣ層で管理されるＲＶ番号であってもよい。該所定のＣＢＧは、ＣＢＧの送信を指示する情報により送信されることが指示されたＣＢＧであってもよい。該ＣＢＧの送信を指示する情報は、該下りリンク制御情報に含まれてもよい。該所定のＣＢＧは、ソフトビットの処理方法を指示する情報によりソフトバッファをフラッシュすることが指示されたＣＢＧであってもよい。該所定のＣＢＧは、ソフトビットの処理方法を指示する情報により、該所定のＣＢＧの復号において該所定のＣＢＧに対応するソフトビットが用いられないことが指示されたＣＢＧであってもよい。該所定のＣＢＧは、ソフトビットの処理方法を指示する情報により、該所定のＣＢＧの受信データと該所定のＣＢＧに対応するストアされたソフトビットが結合されないことが指示されたＣＢＧであってもよい。ソフトビットの処理方法を指示する情報は該下りリンク制御情報に含まれてもよい。
【０１８７】
該所定のＣＢＧのためのＲＶ番号は、所定のＲＶ番号であってもよい。該所定のＲＶ番号は、該トランスポートブロックの初期送信のために設定されるＲＶ番号であってもよい。該所定のＲＶ番号は、あらかじめ設定された値であってもよい。該所定のＲＶ番号は０（ＲＶｉｄｘ＝０）であってもよい。該所定のＲＶ番号は、上位層の信号に少なくとも基づき与えられてもよい。該所定のＣＢＧ以外のＣＢＧのためのＲＶ番号は、該トランスポートブロックのためのＲＶ番号に基づき与えられてもよい。該所定のＣＢＧ以外のＣＢＧのためのＲＶ番号は、該トランスポートブロックのためのＲＶ番号であってもよい。
【０１８８】
該ＣＢＧの送信を指示する情報により送信が指示され、かつ、該ソフトビットの処理方法を指示する情報によりＣＢＧに対応するソフトビットがフラッシュされることが指示されないＣＢＧのためのＲＶ番号は、該トランスポートブロックのためのＲＶ番号であってもよい。
【０１８９】
送信プロセス３０００において動作２が実施される場合、トランスポートブロックに含まれる全てのコードブロックのＲＶ番号は、該トランスポートブロックのためのＲＶ番号に少なくとも基づき与えられてもよい。送信プロセス３０００において動作２が実施される場合、トランスポートブロックに含まれる全てのコードブロックのＲＶ番号は共通に設定されてもよい。
【０１９０】
送信プロセス３０００において動作１が実施される場合、トランスポートブロックのためのＰＤＳＣＨ、および／または、ＰＵＳＣＨをスケジューリングする下りリンク制御情報に、該トランスポートブロックに含まれるＣＢＧそれぞれのためのＲＶ番号を設定する情報が含まれてもよい。
【０１９１】
該ＣＢＧそれぞれのためのＲＶ番号を設定する情報に少なくとも基づき、該ＣＢＧに対応するソフトビットがフラッシュされることが指示されるか否かが与えられてもよい。
【０１９２】
送信プロセス３０００において動作２が実施される場合、トランスポートブロックのためのＰＤＳＣＨ、および／または、ＰＵＳＣＨをスケジューリングする下りリンク制御情報に、該トランスポートブロックのためのＲＶ番号を設定する情報が含まれてもよい。
【０１９３】
以下、本発明の一態様の送信プロセス３０００におけるチャネルの生成方法の一例を説
明する。
【０１９４】
所定の条件１１に少なくとも基づき送信プロセス３０００に適用される動作が与えられてもよい。送信プロセス３０００に適用される動作は、少なくとも動作１と動作２を含んでもよい。所定の条件１１に少なくとも基づき送信プロセス３０００に適用される動作が動作１であるか動作２であるかが与えられてもよい。
【０１９５】
送信プロセス３０００において、所定の条件１１に少なくとも基づき動作１と動作２が切り替わってもよい。例えば、送信プロセス３０００において、所定の条件１１が少なくとも満たされる場合に動作１が適用されてもよい。また、送信プロセス３０００において、所定の条件１１が少なくとも満たされない場合に動作２が適用されてもよい。
【０１９６】
所定の条件１１は、チャネルの送信に用いられる信号波形が第１の信号波形であることを含んでもよい。例えば、チャネルの送信に用いられる信号波形が第１の信号波形である場合に送信プロセス３０００において動作１が適用されてもよい。また、チャネルの送信に用いられる信号波形が第２の信号波形である場合に送信プロセス３０００において動作２が適用されてもよい。第１の信号波形はＯＦＤＭであってもよい。第２の信号波形はＤＦＴ−ｓ−ＯＦＤＭであってもよい。
【０１９７】
チャネルの送信に用いられる信号波形が第１の信号波形であるか第２の信号波形であるかは、ＭＩＢ、第１のシステム情報、第２のシステム情報、共通ＲＲＣシグナリング、専用ＲＲＣシグナリング、下りリンク制御情報の一部または全部に少なくとも基づき与えられてもよい。
【０１９８】
所定の条件１１は、チャネルの送信において変調シンボルに送信プレコード処理が施されることを含んでもよい。例えば、チャネルの送信において変調シンボルに送信プレコード処理が施されない場合に送信プロセス３０００において動作１が適用されてもよい。また、チャネルの送信において変調シンボルに送信プレコード処理が施されない場合に送信プロセス３０００において動作２が適用されてもよい。
【０１９９】
チャネルの送信において変調シンボルに送信プレコード処理が施されるか否かは、ＭＩＢ、第１のシステム情報、第２のシステム情報、共通ＲＲＣシグナリング、専用ＲＲＣシグナリング、下りリンク制御情報の一部または全部に少なくとも基づき与えられてもよい。
【０２００】
所定の条件１１は、チャネルの送信において符号化出力系列ｆｋに第２の並び替えが適用されることを含んでもよい。例えば、チャネルの送信において符号化出力系列ｆｋに第２の並び替えが適用される場合に、送信プロセス３０００において動作１が適用されてもよい。また、チャネルの送信において符号化出力系列ｆｋに第２の並び替えが適用されない場合に、送信プロセス３０００において動作２が適用されてもよい。また、チャネルの送信において符号化出力系列ｆｋに第２の並び替えが適用される場合に、送信プロセス３０００において動作２が適用されてもよい。また、チャネルの送信において符号化出力系列ｆｋに第２の並び替えが適用されない場合に、送信プロセス３０００において動作１が適用されてもよい。
【０２０１】
チャネルの送信において符号化出力系列ｆｋに第２の並び替えが適用されるか否かは、ＭＩＢ、第１のシステム情報、第２のシステム情報、共通ＲＲＣシグナリング、専用ＲＲＣシグナリング、下りリンク制御情報の一部または全部に少なくとも基づき与えられてもよい。
【０２０２】
所定の条件１１は、チャネルの送信において送信シンボルに対して第１のマップ処理が適用されることを含んでもよい。例えば、チャネルの送信において送信シンボルに対して第１のマップ処理が適用される場合に、送信プロセス３０００において動作１が適用されてもよい。また、チャネルの送信において送信シンボルに対して第２のマップ処理が適用される場合に送信プロセス３０００において動作２が適用されてもよい。また、チャネルの送信において送信シンボルに対して第１のマップ処理が適用される場合に、送信プロセス３０００において動作２が適用されてもよい。また、チャネルの送信において送信シンボルに対して第２のマップ処理が適用される場合に送信プロセス３０００において動作１が適用されてもよい。
【０２０３】
チャネルの送信において送信シンボルに対して第１のマップ処理が適用されるか第２のマップ処理が適用されるかは、ＭＩＢ、第１のシステム情報、第２のシステム情報、共通ＲＲＣシグナリング、専用ＲＲＣシグナリング、下りリンク制御情報の一部または全部に少なくとも基づき与えられてもよい。
【０２０４】
動作１は、以下の動作１Ａから動作１Ｉの一部または全部を少なくとも含んでもよい。（１Ａ）第１の系列ｂｋ０を第１の系列グループに分割すること
（１Ｂ）第１の系列ｂｋ０に対して第１の規範に基づく並び替えが施されること
（１Ｃ）第１の系列グループｂｋｎごとに第１の規範に基づく並び替えが施されること
（１Ｄ）第１の系列グループｂｋｎに第２のＣＲＣ系列を付加すること
（１Ｅ）ＣＢＧに対して第１の規範に基づく並び替えが行われること
（１Ｆ）送信シンボルに対して第２の順列処理が施されること
（１Ｇ）ＰＤＳＣＨ、および／または、ＰＵＳＣＨの送信をスケジューリングする下りリンク制御情報に、ＣＢＧの送信を指示する情報、および／または、ソフトビットの処理方法を指示する情報が含まれること
（１Ｈ）ＣＢＧごとに生成されるＨＡＲＱ−ＡＣＫがフィードバックされること
（１Ｉ）下りリンク制御情報にＣＢＧの送信を指示する情報、および／または、ソフトビットの処理方法を指示する情報が含まれて送信されること
動作１Ｇにおいて、該ＰＤＳＣＨ、および／または、該ＰＵＳＣＨの初期送信の場合、該ＣＢＧの送信を指示する情報はリザーブされてもよい。また、該ＰＤＳＣＨ、および／または、該ＰＵＳＣＨの初期送信の場合、該ソフトビットの処理方法を指示する情報はリザーブされてもよい。動作１Ｇにおける該下りリンク制御情報は、第１の下りリンク制御情報のフォーマット（第１のＤＣＩフォーマット）で送信されてもよい。
【０２０５】
動作１Ｈは、所定のＨＡＲＱプロセス番号に対応し、下りリンク制御情報によりスケジューリングされたＰＤＳＣＨ、および／または、ＰＵＳＣＨに含まれるトランスポートブロックの送信が、該所定のＨＡＲＱプロセス番号に対応し、直前に送信されたトランスポートブロックの再送である場合に、該下りリンク制御情報にＣＢＧごとに生成されるＨＡＲＱ−ＡＣＫが含まれること、であってもよい。
【０２０６】
動作１Ｈは、第１のＨＡＲＱ−ＡＣＫに第２のＨＡＲＱ−ＡＣＫが含まれることであってもよい。第２のＨＡＲＱ−ＡＣＫは、ＣＢＧごとに生成されるＨＡＲＱ−ＡＣＫであってもよい。第２のＨＡＲＱ−ＡＣＫは、ＣＢＧのためのＨＡＲＱ−ＡＣＫであってもよい。動作１Ｈは、第１のＨＡＲＱ−ＡＣＫに第３のＨＡＲＱ−ＡＣＫが含まれないことであってもよい。第３のＨＡＲＱ−ＡＣＫは、トランスポートブロックごとに生成されるＨＡＲＱ−ＡＣＫであってもよい。第３のＨＡＲＱ−ＡＣＫは、トランスポートブロックのためのＨＡＲＱ−ＡＣＫであってもよい。
【０２０７】
動作２は、動作１に含まれる動作の一部または全部が行われないことであってもよい。つまり、動作２は、以下の動作２Ａから動作２Ｉの一部または全部を少なくとも含んでも
よい。
（２Ａ）第１の系列ｂｋ０が第１の系列グループに分割されないこと
（２Ｂ）第１の系列ｂｋ０に対して第１の規範に基づく並び替えが施されないこと
（２Ｃ）第１の系列グループｂｋｎごとに第１の規範に基づく並び替えが施されないこと（２Ｄ）第１の系列グループｂｋｎに第２のＣＲＣ系列を付加しないこと
（２Ｅ）ＣＢＧに対して第１の規範に基づく並び替えが行われないこと
（２Ｆ）送信シンボルに対して第２の順列処理が施されないこと
（２Ｇ）ＰＤＳＣＨ、および／または、ＰＵＳＣＨの送信をスケジューリングする下りリンク制御情報に、ＣＢＧの送信を指示する情報、および／または、ソフトビットの処理方法を指示する情報が含まれることによってスケジューリングされること
（２Ｈ）ＣＢＧごとに生成されるＨＡＲＱ−ＡＣＫがフィードバックされないこと
（２Ｉ）下りリンク制御情報にＣＢＧの送信を指示する情報、および／または、ソフトビットの処理方法を指示する情報が含まれないで送信されること（または、下りリンク制御情報にＣＢＧの送信を指示する情報、および／または、ソフトビットの処理方法を指示する情報にあらかじめ設定されたビット系列が入力されること）
動作２Ｇにおける該下りリンク制御情報は、第２の下りリンク制御情報のフォーマット（第２のＤＣＩフォーマット）で送信されてもよい。
【０２０８】
動作２Ｈは、所定のＨＡＲＱプロセス番号に対応し、下りリンク制御情報によりスケジューリングされたＰＤＳＣＨ、および／または、ＰＵＳＣＨに含まれるトランスポートブロックの送信が、該所定のＨＡＲＱプロセス番号に対応し、直前に送信されたトランスポートブロックの再送である場合に、該下りリンク制御情報にＣＢＧごとに生成されるＨＡＲＱ−ＡＣＫが含まれないこと、であってもよい。
【０２０９】
動作２Ｈは、第１のＨＡＲＱ−ＡＣＫに第２のＨＡＲＱ−ＡＣＫが含まれないことであってもよい。動作２Ｈは、第１のＨＡＲＱ−ＡＣＫに第３のＨＡＲＱ−ＡＣＫフィードバックが含まれることであってもよい。
【０２１０】
送信プロセス３０００において適用される動作が動作１であるか動作２であるかは、所定の条件１１および第１の設定情報に少なくとも基づき与えられてもよい。第１の設定情報は、上位層のシグナリング、および／または、下りリンク制御情報に含まれてもよい。例えば、所定の条件１１が満たされた場合に、第１の設定情報に基づき送信プロセス３０００において動作１が適用されるか動作２が適用されるかが与えられてもよい。また、所定の条件１１が満たされた場合に、第１の設定情報に基づかず送信プロセス３０００において動作２が適用されてもよい。
【０２１１】
第１の設定情報は、トランスポートブロックに含まれるＣＢＧの数ＮＣＢＧを含んでもよい。所定の条件１１が満たされた場合に、ＮＣＢＧの値に少なくとも基づき送信プロセス３０００において動作１が適用されるか動作２が適用されるかが与えられてもよい。例えば、所定の条件１１が満たされた場合に、ＮＣＢＧが１より大きい値であれば送信プロセス３０００に適用される動作は動作１であってもよい。また、所定の条件１１が満たされた場合に、ＮＣＢＧが１であれば送信プロセス３０００に適用される動作は動作２であってもよい。
【０２１２】
第１の設定情報は、トランスポートブロックに含まれるＣＢＧの最大数ＮＣＢＧ   ＿
ｍａｘを含んでもよい。所定の条件１１が満たされた場合に、ＮＣＢＧ＿ｍａｘの値に少なくとも基づき送信プロセス３０００において動作１が適用されるか動作２が適用されるかが与えられてもよい。例えば、所定の条件１１が満たされた場合に、ＮＣＢＧ＿ｍａｘが１より大きい値であり、かつ、ＮＣＢＧが１より大きい値であれば送信プロセス３０００に適用される動作は動作１であってもよく、それ以外の場合に、送信プロセス３０００
に適用される動作は動作１であってもよい。つまり、第１の設定情報は、ＮＣＢＧ＿ｍａｘとＮＣＢＧを少なくとも含んでもよい。
【０２１３】
送信プロセス３０００において適用される動作が動作１であるか動作２であるかは、第１の設定情報に少なくとも基づき与えられてもよい。例えば、ＮＣＢＧが１より大きい値であれば送信プロセス３０００に適用される動作は動作１であってもよい。また、ＮＣＢＧが１であれば送信プロセス３０００に適用される動作は動作２であってもよい。
【０２１４】
例えば、ＮＣＢＧ＿ｍａｘが１より大きい値であり、かつ、ＮＣＢＧが１より大きい値であれば送信プロセス３０００に適用される動作は動作１であってもよい。また、ＮＣＢＧ＿ｍａｘが１である場合、および／または、ＮＣＢＧが１である場合に送信プロセス３０００に適用される動作は動作２であってもよい。
【０２１５】
動作２は、動作１Ａから動作１Ｆの一部または全部を少なくとも含んでもよい。所定の条件１１に基づき動作２が適用されるか否かは、上位層のシグナリング、および／または、下りリンク制御情報に含まれる第２の設定情報に少なくとも基づき与えられてもよい。例えば、第２の設定情報により動作２が適用されることがトリガされた場合に、所定の条件１１に基づき動作２が適用されるか否かが与えられてもよい。また、第２の設定情報により動作２が適用されないことがトリガされた場合に、所定の条件１１に関わらず第２の動作が適用されなくてもよい。
【０２１６】
端末装置１において動作１の一部または全部の実施がサポートされているか否かを示す機能情報は、端末装置１により上位層の信号を用いて送信されてもよい。端末装置１において動作１の一部または全部の実施がサポートされているか否かを示す機能情報は、信号波形ごとに与えられてもよい。例えば、ＯＦＤＭのための該機能情報とＤＦＴ−ｓ−ＯＦＤＭのための該機能情報が端末装置１より送信されてもよい。
【０２１７】
動作１が適用される場合、ＣＢＧに第２のＣＲＣ系列が付加されてもよい。動作２が適用される場合、ＣＢＧに第２のＣＲＣ系列が付加されなくてもよい。第１のＨＡＲＱ−ＡＣＫに第２のＨＡＲＱ−ＡＣＫが含まれることが設定された場合、ＣＢＧに第２のＣＲＣ系列が付加されてもよい。第１のＨＡＲＱ−ＡＣＫに第３のＣＲＣが含まれることが設定された場合、ＣＢＧに第２のＣＲＣ系列が付加されなくてもよい。第１のＨＡＲＱ−ＡＣＫに第３のＨＡＲＱ−ＡＣＫが含まれることが設定されない場合、ＣＢＧに第２のＣＲＣ系列が付加されなくてもよい。第１のＨＡＲＱ−ＡＣＫに第３のＣＲＣが含まれることが設定されない場合、ＣＢＧに第２のＣＲＣ系列が付加されなくてもよい。
【０２１８】
以下、端末装置１、および／または、基地局装置３が備えるチャネルの受信方法を説明する。
【０２１９】
チャネルの受信において、端末装置１、および／または、基地局装置３は、送信プロセス３０００に基づきチャネルが生成されることに基づき、復調処理や復号処理を行う。復号されたトランスポートブロックに含まれる第１のＣＲＣ系列に少なくとも基づき、該トランスポートブロックが成功裏に復号されたか否かが与えられてもよい。トランスポートブロックのためのＨＡＲＱ−ＡＣＫは、該トランスポートブロックが成功裏に復号されたか否かに基づき与えられてもよい。
【０２２０】
端末装置１は、トランスポートブロックが成功裏に復号された場合、該トランスポートブロックのためのＡＣＫを生成してもよい。端末装置１は、ＣＢＧが成功裏に復号されなかった場合、該トランスポートブロックのためのＮＡＣＫを生成してもよい。トランスポートブロックが成功裏に復号されることは、該トランスポートブロックの全てのコードブ
ロックが成功裏に復号されたことを意味してもよい。
【０２２１】
チャネルの受信において、ＣＢＧが成功裏に復号されたか否かが、第２のＣＲＣ系列に少なくとも基づき与えられてもよい。チャネルの受信において、ＣＢＧが成功裏に復号されたか否かが、第３のＣＲＣ系列に少なくとも基づき与えられてもよい。例えば、ＣＢＧが成功裏に復号化されたか否かは、該ＣＢＧに含まれる全てのコードブロックに付加される第３のＣＲＣ系列に基づき与えられてもよい。ＣＢＧのためのＨＡＲＱ−ＡＣＫは、該ＣＢＧが成功裏に復号化されたか否かに基づき与えられてもよい。
【０２２２】
端末装置１は、ＣＢＧが成功裏に復号された場合、該ＣＢＧのためのＡＣＫを生成してもよい。端末装置１は、ＣＢＧが成功裏に復号されなかった場合、該ＣＢＧのためのＮＡＣＫを生成してもよい。ＣＢＧが成功裏に復号されることは、該ＣＢＧの全てのコードブロックが成功裏に復号されたことを意味してもよい。
【０２２３】
送信プロセス３０００において動作１が実施される場合と、該送信プロセス３０００において動作２が実施される場合とで、ＨＡＲＱ−ＡＣＫのフィードバック方法の設定が切り替えられてもよい。送信プロセス３０００において動作１が実施される場合、ＨＡＲＱ−ＡＣＫのフィードバックのためのＰＵＣＣＨの設定として第１のＰＵＣＣＨ設定が与えられてもよい。送信プロセス３０００において動作２が実施される場合、ＨＡＲＱ−ＡＣＫのフィードバックのためのＰＵＣＣＨの設定として第２のＰＵＣＣＨ設定が与えられてもよい。
【０２２４】
ＰＵＣＣＨの設定は、ＰＵＣＣＨフォーマット、ＰＵＣＣＨ送信に用いられるＯＦＤＭシンボルの数、ＰＵＣＣＨに適用される送信方法、ＰＵＣＣＨに含まれて送信される上りリンク制御情報に適用される符号化方法、無線リソースの設定の一部または全部を含んでもよい。
【０２２５】
第１のＰＵＣＣＨ設定において、ＰＵＣＣＨフォーマットは第１のＰＵＣＣＨフォーマットであってもよい。例えば、第１のＰＵＣＣＨフォーマットは、少なくともＺ１ビット以下の上りリンク制御情報の送信のために用いられるＰＵＣＣＨフォーマットであってもよい。Ｚ１は、１であってもよいし、２であってもよいし、その他の値であってもよい。第２のＰＵＣＣＨ設定において、ＰＵＣＣＨフォーマットは第２のＰＵＣＣＨフォーマットであってもよい。第２のＰＵＣＣＨフォーマットは、少なくともＺ２ビット以上の上りリンク制御情報の送信のために用いられるＰＵＣＣＨフォーマットであってもよい。Ｚ２は、２であってもよいし、３であってもよいし、その他の値であってもよい。
【０２２６】
第１のＰＵＣＣＨ設定において、ＰＵＣＣＨ送信に用いられるＯＦＤＭシンボルの数は、第１のＯＦＤＭシンボル数であってもよい。第１のＯＦＤＭシンボル数は、１であってもよいし、２であってもよいし、その他の値であってもよい。第２のＰＵＣＣＨ設定において、ＰＵＣＣＨ送信に用いられるＯＦＤＭシンボルの数は、第２のＯＦＤＭシンボル数であってもよい。第２のＯＦＤＭシンボル数は、７であってもよいし、１４であってもよいし、その他の値であってもよい。
【０２２７】
第１のＰＵＣＣＨ設定において、ＰＵＣＣＨに適用される送信方法のために系列選択（Ｓｅｑｕｅｎｃｅ  ｓｅｌｅｃｔｉｏｎ）が設定されてもよい。系列選択は、送信される系列に基づき、上りリンク制御情報が通知される送信方法であってもよい。例えば、送信される系列の巡回シフト量に基づき、上りリンク制御情報が通知されてもよい。第１のＰＵＣＣＨ設定において、ＰＵＣＣＨに適用される送信方法のためにＤＦＴ拡散が用いられなくてもよい。第２のＰＵＣＣＨ設定において、ＰＵＣＣＨに適用される送信方法のためにＯＦＤＭが用いられてもよい。第２のＰＵＣＣＨ設定において、ＰＵＣＣＨに適用され
る送信方法のためにＤＦＴ拡散が用いられてもよい。
【０２２８】
第１のＰＵＣＣＨ設定において、ＰＵＣＣＨに含まれて送信される上りリンク制御情報に適用される第１の符号化方式は繰り返し符号であってもよい。第１の符号化方式は、リードマラー符号であってもよい。第２のＰＵＣＣＨ設定において、ＰＵＣＣＨに含まれて送信される上りリンク制御情報に適用される第２の符号化方式はリードマラー符号であってもよい。第２の符号化方式は畳み込み符号であってもよい。第２の符号化方式はポーラー符号であってもよい。
【０２２９】
例えば、トランスポートブロックの初期送信のためのＰＤＳＣＨ、および／または、ＰＵＳＣＨのスケジューリングに用いられる下りリンク制御情報に基づくＰＤＳＣＨに対するＨＡＲＱ−ＡＣＫは、第１のＰＵＣＣＨフォーマットを用いて送信されてもよい。また、ＣＢＧの送信を指示する情報を含む下りリンク制御情報に基づくＰＤＳＣＨに対するＨＡＲＱ−ＡＣＫは、第２のＰＵＣＣＨフォーマットを用いて送信されてもよい。また、ＣＢＧの送信を指示する情報を含まない下りリンク制御情報に基づくＰＤＳＣＨに対するＨＡＲＱ−ＡＣＫは、第１のＰＵＣＣＨフォーマットを用いて送信されてもよい。
【０２３０】
また、第２のＰＵＣＣＨフォーマットが設定されない場合、ＣＢＧに基づくＰＤＳＣＨの再送信は適用されなくてもよい。つまり、第２のＰＵＣＣＨフォーマットが設定されることによって、ＣＢＧに基づくＰＤＳＣＨの再送信は適用されてもよい。第２のＰＵＣＣＨフォーマットが設定されない場合、所定の条件１１に関わらず、送信プロセス３０００において動作２が適用されてもよい。第２のＰＵＣＣＨフォーマットが設定される場合、送信プロセス３０００において動作１が適用されるか動作２が適用されるかは、少なくとも所定の条件に基づき与えられてもよい。
【０２３１】
また、第２のＰＵＣＣＨフォーマットが設定されない場合、ＣＢＧに基づくＰＤＳＣＨに対するＨＡＲＱ−ＡＣＫは、ＰＵＳＣＨを用いて送信されてもよい。
【０２３２】
また、第２のＰＵＣＣＨフォーマットが設定されない場合、ＣＢＧに基づくＰＤＳＣＨに対するＨＡＲＱ−ＡＣＫは、複数の第１のＰＵＣＣＨフォーマットを集約して送信されてもよい。このような場合、第１のＰＵＣＣＨフォーマットを集約して用いることが設定されてもよい。
【０２３３】
また、１つのトランスポートブロックに対する複数のＣＢＧのすべてがＡＣＫまたはＮＡＣＫである場合、対応するＨＡＲＱ−ＡＣＫは、第１のＰＵＣＣＨフォーマットを用いて送信されてもよい。つまり、１つのトランスポートブロックに対する複数のＣＢＧのすべてがＡＣＫまたはＮＡＣＫである場合には、１つのＨＡＲＱ−ＡＣＫビットを用いて送信されてもよい。
【０２３４】
以下、本発明の端末装置１の装置構成について説明する。
【０２３５】
図１５は、本実施形態における端末装置１の構成を示す概略ブロック図である。図示するように、端末装置１は、上位層処理部１０１、制御部１０３、受信部１０５、送信部１０７および、送受信アンテナ１０９の少なくとも１つを含んで構成される。上位層処理部１０１は、無線リソース制御部１０１１、スケジューリング部１０１３の少なくとも１つを含んで構成される。受信部１０５は、復号化部１０５１、復調部１０５３、多重分離部１０５５、無線受信部１０５７とチャネル測定部１０５９の少なくとも１つを含んで構成される。送信部１０７は、符号化部１０７１、共有チャネル生成部１０７３、制御チャネル生成部１０７５、多重部１０７７、無線送信部１０７９と上りリンク参照信号生成部１０７１１の少なくとも１つを含んで構成される。
【０２３６】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は制御チャネルで受信された下りリンク制御情報などに基づき、受信部１０５、および送信部１０７の制御を行なうために制御情報を生成し、制御部１０３に出力する。
【０２３７】
上位層処理部１０１が備える無線リソース制御部１０１１は、自装置の各種設定情報の管理を行なう。例えば、無線リソース制御部１０１１は、設定されたサービングセルの管理を行なう。また、無線リソース制御部１０１１は、上りリンクの各チャネルに配置される情報を生成し、送信部１０７に出力する。無線リソース制御部１０１１は、受信した下りリンクデータの復号に成功した場合には、ＡＣＫを生成し送信部１０７にＡＣＫを出力し、受信した下りリンクデータの復号に失敗した場合には、ＮＡＣＫを生成し、送信部１０７にＮＡＣＫを出力する。
【０２３８】
上位層処理部１０１が備えるスケジューリング部１０１３は、受信部１０５を介して受信した下りリンク制御情報を記憶する。スケジューリング部１０１３は、上りリンクグラントを受信したサブフレームから４つ後のサブフレームにおいて、受信された上りリンクグラントに従ってＰＵＳＣＨを送信するよう、制御部１０３を介して送信部１０７を制御する。スケジューリング部１０１３は、下りリンクグラントを受信したサブフレームにおいて、受信された下りリンクグラントに従って共有チャネルを受信するよう、制御部１０３を介して受信部１０５を制御する。
【０２３９】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０２４０】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０２４１】
無線受信部１０５７は、送受信アンテナ１０９を介して受信した下りリンクの信号を直交復調し、直交復調されたアナログ信号をディジタル信号に変換する。例えば、無線受信部１０５７は、ディジタル信号に対して高速フーリエ変換（Fast Fourier Transform: FFT）を行い、周波数領域の信号を抽出してもよい。
【０２４２】
多重分離部１０５５は、抽出した信号を制御チャネル、共有チャネル、および、参照信号チャネルに、それぞれ分離する。多重分離部１０５５は、分離した参照信号チャネルをチャネル測定部１０５９に出力する。
【０２４３】
復調部１０５３は、制御チャネル、および、共有チャネルに対して、ＱＰＳＫ、１６ＱＡＭ（Quadrature Amplitude Modulation）、６４ＱＡＭ等の変調方式に対する復調を行
ない、復号化部１０５１へ出力する。
【０２４４】
復号化部１０５１は、下りリンクデータの復号を行い、復号した下りリンクデータを上位層処理部１０１へ出力する。チャネル測定部１０５９は、参照信号チャネルから下りリンクの伝搬路の推定値を算出し、多重分離部１０５５へ出力する。チャネル測定部１０５
９は、チャネル状態情報を算出し、尚且つ、チャネル状態情報を上位層処理部１０１へ出力する。
【０２４５】
送信部１０７は、制御部１０３から入力された制御信号に従って、上りリンク参照信号チャネルを生成し、上位層処理部１０１から入力された上りリンクデータや上りリンク制御情報を符号化および変調し、共有チャネル、制御チャネル、参照信号チャネルを多重し、送受信アンテナ１０９を介して基地局装置３に送信する。
【０２４６】
符号化部１０７１は、上位層処理部１０１から入力された上りリンク制御情報と上りリンクデータを符号化し、符号化ビットを共有チャネル生成部１０７３および／または制御チャネル生成部１０７５に出力する。
【０２４７】
共有チャネル生成部１０７３は、符号化部１０７１から入力された符号化ビットを変調して変調シンボルを生成し、変調シンボルをＤＦＴすることによって共有チャネルを生成し、多重部１０７７へ出力してもよい。共有チャネル生成部１０７３は、符号化部１０７１から入力された符号化ビットを変調して共有チャネルを生成し、多重部１０７７へ出力してもよい。
【０２４８】
制御チャネル生成部１０７５は、符号化部１０７１から入力された符号化ビット、および／または、ＳＲに基づいて、制御チャネルを生成し、多重部１０７７へ出力する。
【０２４９】
上りリンク参照信号生成部１０７１１は上りリンク参照信号を生成し、生成した上りリンク参照信号を多重部１０７７へ出力する。
【０２５０】
多重部１０７７は、制御部１０３から入力された制御信号に従って、共有チャネル生成部１０７３から入力された信号および／または制御チャネル生成部１０７５から入力された信号、および／または、上りリンク参照信号生成部１０７１１から入力された上りリンク参照信号を、送信アンテナポート毎に上りリンクのリソースエレメントに多重する。
【０２５１】
無線送信部１０７９は、多重された信号を逆高速フーリエ変換（Inverse Fast Fourier
Transform: IFFT）を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０２５２】
以下、本発明の基地局装置３の装置構成について説明する。
【０２５３】
図１６は、本実施形態における基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１とスケジューリング部３０１３を含んで構成される。また、受信部３０５は、データ復調／復号部３０５１、制御情報復調／復号部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０２５４】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）
層の処理を行なう。また、上位層処理部３０１は、受信部３０５、および送信部３０７の制御を行なうために制御情報を生成し、制御部３０３に出力する。
【０２５５】
上位層処理部３０１が備える無線リソース制御部３０１１は、下りリンクの共有チャネルに配置される下りリンクデータ、ＲＲＣ  ｓｉｇｎａｌｉｎｇ、ＭＡＣ  ＣＥ（Control Element）を生成し、又は上位ノードから取得し、ＨＡＲＱ制御部３０１３に出力する
。また、無線リソース制御部３０１１は、端末装置１各々の各種設定情報の管理をする。例えば、無線リソース制御部３０１１は、端末装置１に設定したサービングセルの管理などを行なう。
【０２５６】
上位層処理部３０１が備えるスケジューリング部３０１３は、端末装置１に割り当てる共有チャネルや制御チャネルの無線リソースの管理をしている。スケジューリング部３０１３は、端末装置１に共有チャネルの無線リソースを割り当てた場合には、共有チャネルの無線リソースの割り当てを示す上りリンクグラントを生成し、生成した上りリンクグラントを送信部３０７へ出力する。
【０２５７】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０２５８】
受信部３０５は、制御部３０３から入力された制御信号に従って、送受信アンテナ３０９を介して端末装置１から受信した受信信号を分離、復調、復号し、復号した情報を上位層処理部３０１に出力する。
【０２５９】
無線受信部３０５７は、送受信アンテナ３０９を介して受信された上りリンクの信号を直交復調し、直交復調されたアナログ信号をディジタル信号に変換する。無線受信部３０５７は、ディジタル信号に対して高速フーリエ変換（Fast Fourier Transform: FFT）を
行い、周波数領域の信号を抽出し多重分離部３０５５に出力する。
【０２６０】
多重分離部１０５５は、無線受信部３０５７から入力された信号を制御チャネル、共有チャネル、参照信号チャネルなどの信号に分離する。尚、この分離は、予め基地局装置３が無線リソース制御部３０１１で決定し、各端末装置１に通知した上りリンクグラントに含まれる無線リソースの割り当て情報に基づいて行なわれる。多重分離部３０５５は、チャネル測定部３０５９から入力された伝搬路の推定値から、制御チャネルと共有チャネルの伝搬路の補償を行なう。また、多重分離部３０５５は、分離した参照信号チャネルをチャネル測定部３０５９に出力する。
【０２６１】
多重分離部３０５５は、分離した制御チャネルと共有チャネルから、上りリンクデータの変調シンボルと上りリンク制御情報（ＨＡＲＱ−ＡＣＫ）の変調シンボルを取得する。多重分離部３０５５は、共有チャネルの信号から取得した上りリンクデータの変調シンボルをデータ復調／復号部３０５１へ出力する。多重分離部３０５５は、制御チャネルまたは共有チャネルから取得した上りリンク制御情報（ＨＡＲＱ−ＡＣＫ）の変調シンボルを制御情報復調／復号部３０５３へ出力する。
【０２６２】
チャネル測定部３０５９は、多重分離部３０５５から入力された上りリンク参照信号から伝搬路の推定値、チャネルの品質などを測定し、多重分離部３０５５および上位層処理部３０１に出力する。
【０２６３】
データ復調／復号部３０５１は、多重分離部３０５５から入力された上りリンクデータ
の変調シンボルから上りリンクデータを復号する。データ復調／復号部３０５１は、復号された上りリンクデータを上位層処理部３０１へ出力する。
【０２６４】
制御情報復調／復号部３０５３は、多重分離部３０５５から入力されたＨＡＲＱ−ＡＣＫの変調シンボルからＨＡＲＱ−ＡＣＫを復号する。制御情報復調／復号部３０５３は、復号したＨＡＲＱ−ＡＣＫを上位層処理部３０１へ出力する。
【０２６５】
送信部３０７は、制御部３０３から入力された制御信号に従って、下りリンク参照信号を生成し、上位層処理部３０１から入力された下りリンク制御情報、下りリンクデータを符号化、および変調し、制御チャネル、共有チャネル、参照信号チャネルを多重して、送受信アンテナ３０９を介して端末装置１に信号を送信する。
【０２６６】
符号化部３０７１は、上位層処理部３０１から入力された下りリンク制御情報、および、下りリンクデータの符号化を行なう。変調部３０７３は、符号化部３０７１から入力された符号化ビットをＢＰＳＫ、ＱＰＳＫ、１６ＱＡＭ、６４ＱＡＭ等の変調方式で変調する。変調部３０７３は、変調シンボルにプリコーディングを適用してもよい。プレコーディングは、送信プレコードを含んでもよい。なお、プレコーディングとは、プレコーダが乗算される（適用される）ことであってもよい。
【０２６７】
下りリンク参照信号生成部３０７９は下りリンク参照信号を生成する。多重部３０７５は、各チャネルの変調シンボルと下りリンク参照信号を多重し、送信シンボルを生成する。
【０２６８】
多重部３０７５は、送信シンボルにプレコーディングを適用してもよい。多重部３０７５が送信シンボルに適用するプレコーディングは、下りリンク参照信号、および／または、変調シンボルに対して適用されてもよい。また、下りリンク参照信号に適用されるプレコーディングと、変調シンボルに対して適用されるプレコーディングは、同一であってもよいし、異なってもよい。
【０２６９】
無線送信部３０７７は、多重された送信シンボルなどを逆高速フーリエ変換（Inverse Fast Fourier Transform: IFFT）して、時間シンボルを生成する。無線送信部３０７７は、時間シンボルに対してＯＦＤＭ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、搬送波信号（Carrier signal, Carrier, RF signal等）を生成する。無線送信部３０７７は、搬送波信号に対して、電力増幅し、送受信アンテナ３０９に出力して送信する。
【０２７０】
（１）上記の目的を達成するために、本発明の態様は、以下のような手段を講じた。すなわち、本発明の第１の態様は、端末装置であって、下りリンク制御情報によりスケジューリングされるＰＤＳＣＨにおいてトランスポートブロックを受信する受信部と、前記トランスポートブロックに含まれる第１のコードブロックグループを復号化する復号化部と、を備え、前記第１のコードブロックグループは、１または複数のコードブロックを含み、前記１または複数のコードブロックに含まれる系列は、リダンダンシーバージョンに少なくとも基づき与えられ、前記下りリンク制御情報において、前記第１のコードブロックグループに対応する第１のソフトビットをフラッシュすることが指示された場合、前記１または複数のコードブロックのリダンダンシーバージョンは所定の値に設定され、前記下りリンク制御情報において、前記第１のソフトビットをフラッシュすることが指示されない場合、前記１または複数のコードブロックの前記リダンダンシーバージョンは前記下り
リンク制御情報により指示される。
【０２７１】
（２）また、本発明の第１の態様において、前記下りリンク制御情報において、前記トランスポートブロックに対応する第２のソフトビットをフラッシュすることが指示された場合、前記１または複数のコードブロックの前記リダンダンシーバージョンは前記下りリンク制御情報により指示される。
【０２７２】
（３）また、本発明の第２の態様は、基地局装置であって、トランスポートブロックのためのＰＤＳＣＨを下りリンク制御情報でスケジューリングする送信部と、前記トランスポートブロックに含まれる第１のコードブロックグループを設定し、符号化する符号化部と、を備え、前記第１のコードブロックグループは、１または複数のコードブロックを含み、前記１または複数のコードブロックに含まれる系列は、リダンダンシーバージョンに少なくとも基づき与えられ、前記下りリンク制御情報において、前記第１のコードブロックグループに対応する第１のソフトビットをフラッシュすることが指示された場合、前記１または複数のコードブロックのリダンダンシーバージョンは所定の値に設定され、前記下りリンク制御情報において、前記第１のソフトビットをフラッシュすることが指示されない場合、前記１または複数のコードブロックの前記リダンダンシーバージョンは前記下りリンク制御情報により指示される。
【０２７３】
（４）また、本発明の第２の態様において、前記下りリンク制御情報において、前記トランスポートブロックに対応する第２のソフトビットをフラッシュすることが指示された場合、前記１または複数のコードブロックの前記リダンダンシーバージョンは前記下りリンク制御情報により指示される。
【０２７４】
（５）また、本発明の第３の態様は、端末装置であって、トランスポートブロックを受信する受信部と、前記トランスポートブロックに含まれる複数のＣＢのそれぞれを復号化する復号化部と、複数のＣＢＧのそれぞれに対応するＨＡＲＱ−ＡＣＫを送信する送信部と、を備え、前記複数のＣＢは、１または複数の第１のＣＢと、１または複数の第２のＣＢを含み、前記第１のＣＢの第１のサイズは前記第２のＣＢの第２のサイズより大きく、前記複数のＣＢのそれぞれは、前記複数のＣＢＧのいずれか１つに含まれ、前記複数のＣＢＧは、１または複数の第１のＣＢＧと、１または複数の第２のＣＢＧを含み、前記１または複数の第１のＣＢＧのそれぞれに含まれる前記第１のＣＢおよび前記第２のＣＢの第１の合計数は、前記１または複数の第２のＣＢＧのそれぞれに含まれる前記第１のＣＢおよび前記第２のＣＢの第２の合計数より大きく、最も多い第２のＣＢを含むＣＢＧは、前記１または複数の第１のＣＢＧのいずれかである。
【０２７５】
（６）また、本発明の第４の態様は、端末装置であって、トランスポートブロックを受信する受信部と、前記トランスポートブロックに含まれる複数のＣＢのそれぞれを復号化する復号化部と、複数のＣＢＧのそれぞれに対応するＨＡＲＱ−ＡＣＫを送信する送信部と、を備え、前記複数のＣＢは、１または複数の第１のＣＢと、１または複数の第２のＣＢを含み、前記第１のＣＢの第１のサイズは前記第２のＣＢの第２のサイズより大きく、前記複数のＣＢのそれぞれは、前記複数のＣＢＧのいずれか１つに含まれ、前記複数のＣＢＧは、１または複数の第１のＣＢＧと、１または複数の第２のＣＢＧを含み、前記１または複数の第１のＣＢＧのそれぞれに含まれる前記第１のＣＢおよび前記第２のＣＢの第１の合計数は、前記１または複数の第２のＣＢＧのそれぞれに含まれる前記第１のＣＢおよび前記第２のＣＢの第２の合計数より大きく、前記１または複数の第２のＣＢＧに含まれる第２のＣＢの数の平均値は、前記１または複数の第１のＣＢＧに含まれる第２のＣＢの数の平均値より大きい。
【０２７６】
（７）また、本発明の第５の態様は、端末装置であって、トランスポートブロックを受
信する受信部と、前記トランスポートブロックに含まれる複数のＣＢのそれぞれを復号化する復号化部と、複数のＣＢＧのそれぞれに対応するＨＡＲＱ−ＡＣＫを送信する送信部と、を備え、前記複数のＣＢは、１または複数の第１のＣＢと、１または複数の第２のＣＢを含み、前記第１のＣＢの第１のサイズは前記第２のＣＢの第２のサイズより大きく、前記複数のＣＢのそれぞれは、前記複数のＣＢＧのいずれか１つに含まれ、前記複数のＣＢＧは、１または複数の第１のＣＢＧと、１または複数の第２のＣＢＧを含み、前記第１のＣＢＧに含まれる前記第１のＣＢと前記第２のＣＢの和は、前記第２のＣＢＧに含まれる前記第１のＣＢと前記第２のＣＢの和よりも大きく、前記１または複数の第１のＣＢＧのインデックスは、前記１または複数の第２のＣＢＧのインデックスより小さく、前記１または複数の第１のＣＢＧに含まれる前記複数のＣＢのインデックスは、前記１または複数の第２のＣＢＧに含まれる前記複数のＣＢのインデックスより小さく、前記１または複数の第１のＣＢのインデックスは、前記１または複数の第２のＣＢのインデックスより大きい。
【０２７７】
（８）また、本発明の第６の態様は、基地局装置であって、トランスポートブロックを複数のＣＢに分割し、前記複数のＣＢのそれぞれを符号化する符号化部と、前記トランスポートブロックを送信する送信部と、複数のＣＢＧのそれぞれに対応するＨＡＲＱ−ＡＣＫを受信する受信部と、を備え、前記複数のＣＢは、１または複数の第１のＣＢと、１または複数の第２のＣＢを含み、前記第１のＣＢの第１のサイズは前記第２のＣＢの第２のサイズより大きく、前記複数のＣＢのそれぞれは、前記複数のＣＢＧのいずれか１つに含まれ、前記複数のＣＢＧは、１または複数の第１のＣＢＧと、１または複数の第２のＣＢＧを含み、前記１または複数の第１のＣＢＧのそれぞれに含まれる前記第１のＣＢおよび前記第２のＣＢの第１の合計数は、前記１または複数の第２のＣＢＧのそれぞれに含まれる前記第１のＣＢおよび前記第２のＣＢの第２の合計数より大きく、最も多い第２のＣＢを含むＣＢＧは、前記１または複数の第１のＣＢＧのいずれかである。
【０２７８】
（９）また、本発明の第７の態様は、基地局装置であって、トランスポートブロックを複数のＣＢに分割し、前記複数のＣＢのそれぞれを符号化する符号化部と、前記トランスポートブロックを送信する送信部と、複数のＣＢＧのそれぞれに対応するＨＡＲＱ−ＡＣＫを受信する受信部と、を備え、前記複数のＣＢは、１または複数の第１のＣＢと、１または複数の第２のＣＢを含み、前記第１のＣＢの第１のサイズは前記第２のＣＢの第２のサイズより大きく、前記複数のＣＢのそれぞれは、前記複数のＣＢＧのいずれか１つに含まれ、前記複数のＣＢＧは、１または複数の第１のＣＢＧと、１または複数の第２のＣＢＧを含み、前記１または複数の第１のＣＢＧのそれぞれに含まれる前記第１のＣＢおよび前記第２のＣＢの第１の合計数は、前記１または複数の第２のＣＢＧのそれぞれに含まれる前記第１のＣＢおよび前記第２のＣＢの第２の合計数より大きく、前記１または複数の第２のＣＢＧに含まれる第２のＣＢの数の平均値は、前記１または複数の第１のＣＢＧに含まれる第２のＣＢの数の平均値より大きい。
【０２７９】
（１０）また、本発明の第８の態様は、基地局装置であって、トランスポートブロックを複数のＣＢに分割し、前記複数のＣＢのそれぞれを符号化する符号化部と、前記トランスポートブロックを送信する送信部と、複数のＣＢＧのそれぞれに対応するＨＡＲＱ−ＡＣＫを受信する受信部と、を備え、前記複数のＣＢは、１または複数の第１のＣＢと、１または複数の第２のＣＢを含み、前記第１のＣＢの第１のサイズは前記第２のＣＢの第２のサイズより大きく、前記複数のＣＢのそれぞれは、前記複数のＣＢＧのいずれか１つに含まれ、前記複数のＣＢＧは、１または複数の第１のＣＢＧと、１または複数の第２のＣＢＧを含み、前記第１のＣＢＧに含まれる前記第１のＣＢと前記第２のＣＢの和は、前記第２のＣＢＧに含まれる前記第１のＣＢと前記第２のＣＢの和よりも大きく、前記１または複数の第１のＣＢＧのインデックスは、前記１または複数の第２のＣＢＧのインデックスより小さく、前記１または複数の第１のＣＢＧに含まれる前記複数のＣＢのインデック
スは、前記１または複数の第２のＣＢＧに含まれる前記複数のＣＢのインデックスより小さく、前記１または複数の第１のＣＢのインデックスは、前記１または複数の第２のＣＢのインデックスより大きい。
【０２８０】
本発明に関わる端末装置１、基地局装置３、で動作するプログラムは、本発明に関わる上記実施形態の機能を実現するように、ＣＰＵ（Central Processing Unit）等を制御す
るプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０２８１】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２８２】
尚、ここでいう「コンピュータシステム」とは、端末装置１、基地局装置３に内蔵されたコンピュータシステムであって、ＯＳや周辺機器等のハードウェアを含むものとする。また、「コンピュータが読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２８３】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２８４】
また、上述した実施形態における端末装置１、基地局装置３は、複数の装置から構成される集合体（装置グループ）として実現することもできる。装置グループを構成する装置の各々は、上述した実施形態に関わる端末装置１、基地局装置３の各機能または各機能ブロックの少なくとも一つを備えてもよい。装置グループとして、端末装置１、基地局装置３の一通りの各機能または各機能ブロックを有していればよい。また、上述した実施形態に関わる端末装置１、基地局装置３は、集合体としての基地局装置と通信することも可能である。
【０２８５】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の少なくとも一つを有してもよい。
【０２８６】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能であ
る。
【０２８７】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０２８８】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２８９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２９０】
１（１Ａ、１Ｂ、１Ｃ）  端末装置
３  基地局装置
１０１  上位層処理部
１０３  制御部
１０５  受信部
１０７  送信部
１０９  送受信アンテナ
１０１１  無線リソース制御部
１０１３  スケジューリング部
１０５１  復号化部
１０５３  復調部
１０５５  多重分離部
１０５７  無線受信部
１０５９  チャネル測定部
１０７１  符号化部
１０７３  共有チャネル生成部
１０７５  制御チャネル生成部
１０７７  多重部
１０７９  無線送信部
１０７１１  上りリンク参照信号生成部
３０１  上位層処理部
３０３  制御部
３０５  受信部
３０７  送信部
３０９  送受信アンテナ
３０００  送信プロセス
３００１  符号化処理部
３００２  スクランブル処理部
３００３  変調マップ処理部
３００４  レイヤマップ処理部
３００５  送信プレコード処理部
３００６  プレコード処理部
３００７  リソースエレメントマップ処理部
３００８  ベースバンド信号生成処理部
３０１１  無線リソース制御部
３０１３  スケジューリング部
３０５１  データ復調／復号部
３０５３  制御情報復調／復号部
３０５５  多重分離部
３０５７  無線受信部
３０５９  チャネル測定部
３０７１  符号化部
３０７３  変調部
３０７５  多重部
３０７７  無線送信部
３０７９  下りリンク参照信号生成部
４０１  分割およびＣＲＣ付加部
４００１  ＣＲＣ付加部
４００２  符号化部
４００３  サブブロックインターリーバ部
４００４  ビット収集部
４００５  ビット選択および切断部
４００６  結合部
４０１１  コードブロック分割部
４０１２  ＣＲＣ付加部
【図１】
2019004245.tif 000007
【図２】
2019004245.tif 000008
【図３】
2019004245.tif 000009
【図４】
2019004245.tif 000010
【図５】
2019004245.tif 000011
【図６】
2019004245.tif 000012
【図７】
2019004245.tif 000013
【図８】
2019004245.tif 000014
【図９】
2019004245.tif 000015
【図１０】
2019004245.tif 000016
【図１１】
2019004245.tif 000017
【図１２】
2019004245.tif 000018
【図１３】
2019004245.tif 000019
【図１４】
2019004245.tif 000020
【図１５】
2019004245.tif 000021
【図１６】
2019004245.tif 000022